(57)【要約】      （修正有）【課題】パーミング時におけるフィット感を向上させて釣り人の負担を軽減させることができるリールシートの交換部品を提供する。【解決手段】両軸リールのリール脚が載置されるリール脚載置部５を上面に有する筒状のリールシート本体の本体部材１２に、下側から着脱自在に篏合するリールシートの交換部品１１であって、リールシート本体の左右両側部のうち何れか一方のみに、両軸リールの左右両側壁部のうちハンドルとは反対側の側壁部の直後に位置して、パーミング時に手の平をサポートするためのサポート壁部６１が上方に向けて突設されており、パーミング時にサポート壁部６１の後側傾斜面６３が手の平の母指球に当接する。【選択図】図５
2020127414.tif 000002
【特許請求の範囲】
【請求項１】
両軸リールのリール脚が載置されるリール脚載置部を上面に有する筒状のリールシート本体を備え、
該リールシート本体を竿本体が貫通する構成のリールシートであって、
リールシート本体の左右両側部のうち何れか一方のみに、両軸リールの左右両側壁部のうちハンドルとは反対側の側壁部の直後に位置して、パーミング時に手の平をサポートするためのサポート壁部が上方に向けて突設されていることを特徴とするリールシート。
【請求項２】
リールシート本体はリール脚の後端部が挿入される固定フード部を有し、
サポート壁部は、固定フード部の側方に位置すると共に、固定フード部の頂部よりも上方に突出している
請求項１記載のリールシート。
【請求項３】
サポート壁部の最上部は、固定フード部の頂部よりも後側に位置している
請求項２記載のリールシート。
【請求項４】
サポート壁部の上面には、
後側に向けて徐々に上昇するように傾斜した前側傾斜面と、
該前側傾斜面の後側に延設され、後側に向けて徐々に下降するように傾斜した後側傾斜面と
が設けられ、
サポート壁部の前側傾斜面が両軸リールの左右両側壁部のうちハンドルとは反対側の側壁部の下面後部に対峙し、パーミング時にサポート壁部の後側傾斜面が手の平の母指球に当接する
請求項１乃至３の何れかに記載のリールシート。
【請求項５】
リールシート本体の左右両側部のうち何れか一方のみに、側方へ膨出した側方膨出部が形成されており、該側方膨出部の後部にサポート壁部が上方に向けて突設されている
請求項１乃至４の何れかに記載のリールシート。
【請求項６】
リールシート本体は、竿本体に固定される部材であって、
リール脚載置部を有する固定部材と、
該固定部材が竿本体に取り付けられた状態において該固定部材に着脱自在な交換部材と
を備えており、
該交換部材にサポート壁部が形成されている
請求項１乃至５の何れかに記載のリールシート。
【請求項７】
請求項１乃至６の何れかに記載のリールシートを備えた釣竿。
【発明の詳細な説明】
【技術分野】
【０００１】
本発明は、釣竿に両軸リールを固定するための釣竿用のリールシートと、該リールシートを備えた釣竿に関する。
【背景技術】
【０００２】
両軸リールは上を向いた状態で使用される。
そのため、両軸リールを釣竿に固定するための釣竿用のリールシートは、両軸リールのリール脚が載置されるリール脚載置部を上面に有している。
両軸リールは左右一対の側壁部を備えていて、左右両側壁部の間に糸を巻き取るためのスプールを備えている。
また、左右両側壁部のうちの一方にハンドルを備えている。
例えば、右側にハンドルを備える場合、右側の側壁部の外側にハンドルが位置する。
従って、右側のハンドルを回転させて糸を巻き取るときには、左手の親指を両軸リールの左側の側壁部の上面に載せ、左手の他の四本の指はリールシートの下面に位置させるようにして、両軸リールとリールシートを左手の全体で包み込むように把持する。
このような把持の仕方を一般的にはパーミングと称する。
【０００３】
下記特許文献１〜４にはパーミング時におけるフィット感の向上を目的とした構成について開示されているが、十分ではない。
【先行技術文献】
【特許文献】
【０００４】
【特許文献１】特開平９−１７２９１５号公報
【特許文献２】実開平６−３０７５号公報
【特許文献３】実開平２−１７４６２４号公報
【特許文献４】実開平１−８２７６５号公報
【発明の概要】
【発明が解決しようとする課題】
【０００５】
それゆえに本発明は、パーミング時におけるフィット感を向上させて釣り人の負担を軽減させることができるリールシートと釣竿を提供することを課題としている。
【課題を解決するための手段】
【０００６】
本発明は上記課題を解決すべくなされたものであって、本発明に係るリールシートは、両軸リールのリール脚が載置されるリール脚載置部を上面に有する筒状のリールシート本体を備え、該リールシート本体を竿本体が貫通する構成のリールシートであって、リールシート本体の左右両側部のうち何れか一方のみに、両軸リールの左右両側壁部のうちハンドルとは反対側の側壁部の直後に位置して、パーミング時に手の平をサポートするためのサポート壁部が上方に向けて突設されていることを特徴とする。
【０００７】
該構成のリールシートに両軸リールを取り付けると、両軸リールのハンドルとは反対側の側壁部の直後にサポート壁部が位置する。例えば、右側にハンドルが位置する場合、両軸リールの左側の側壁部の直後にサポート壁部が位置することになる。パーミング時には、ハンドルを操作する手とは反対側の手である左手で、両軸リールとリールシートを包み込むように把持する。その状態において左手の手の平にサポート壁部が当接する。
即ち、パーミング時に、左手の手の平が両軸リールの左側の側壁部の直後においてサポート壁部によって内側から支えられることになる。
【０００８】
特に、リールシート本体はリール脚の後端部が挿入される固定フード部を有し、サポート壁部は、固定フード部の側方に位置すると共に、固定フード部の頂部よりも上方に突出していることが好ましく、フィット感がより一層向上する。
【０００９】
更に、サポート壁部の最上部は、固定フード部の頂部よりも後側に位置していることが好ましく、フィット感がより一層向上する。
【００１０】
また、サポート壁部の上面には、後側に向けて徐々に上昇するように傾斜した前側傾斜面と、該前側傾斜面の後側に延設され、後側に向けて徐々に下降するように傾斜した後側傾斜面とが設けられ、サポート壁部の前側傾斜面が両軸リールの左右両側壁部のうちハンドルとは反対側の側壁部の下面後部に対峙し、パーミング時にサポート壁部の後側傾斜面が手の平の母指球に当接することが好ましい。該構成では、サポート壁部が前側傾斜面を有していて、その前側傾斜面が両軸リールの左右両側壁部のうちハンドルとは反対側の側壁部の後面に対峙するので、両軸リールの左右両側壁部のうちハンドルとは反対側の側壁部の下面後部とサポート壁部との間に大きな空間が空きにくく、サポート壁部がより一層良好に手の平にフィットする。また、サポート壁部が後側傾斜面を有していて、パーミング時に後側傾斜面が手の平の母指球に当接するので、パーミング時のフィット感がより一層向上する。
【００１１】
また、リールシート本体の左右両側部のうち何れか一方のみに、側方へ膨出した側方膨出部が形成されており、該側方膨出部の後部にサポート壁部が上方に向けて突設されてい
ることが好ましく、側方膨出部とサポート壁部とによってフィット感がより一層向上する。
【００１２】
また、リールシート本体は、竿本体に固定される部材であって、リール脚載置部を有する固定部材と、該固定部材が竿本体に取り付けられた状態において該固定部材に着脱自在な交換部材とを備えており、該交換部材にサポート壁部が形成されていることが好ましい。該構成では、釣竿にリールシートが取り付けられた状態で釣り人自らがリールシート本体の交換部材を固定部材から取り外すことができ、また、交換部材を固定部材に取り付けることができる。従って、他の仕様の交換部材を用意することで、製造元に釣竿の修理、分解を依頼しなくても、釣り人自身が他の仕様の交換部材に簡単に交換することができる。例えば、サポート壁部の高さやサイズ等が異なる交換部材に容易に交換できる。また、サポート壁部が左側に設けられている交換部材から、サポート壁部が右側に設けられている交換部材にも容易に交換でき、釣り人の好みや状況に応じて、また、使用する両軸リールのサイズやハンドルの左右に応じて、適宜交換部材を交換して釣りを楽しむことができる。
【００１３】
また、本発明に係る釣竿は、上記リールシートを備えたものである。
【発明の効果】
【００１４】
以上のように、左右両側部の一方のみにサポート壁部が設けられていてそのサポート壁部が両軸リールの一方の側壁部の直後に位置して手の平をサポートするので、パーミング時のフィット感が向上し、釣り人の手の負担が軽減される。そのため、長時間楽に釣りを行うことができる。
【図面の簡単な説明】
【００１５】
【図１】本発明の一実施形態におけるリールシートの正面図。
【図２】同リールシートの平面図。
【図３】同リールシートの背面図。
【図４】同リールシートを軸線方向に切断した縦断面図。
【図５】同リールシートの分解図。
【図６】同リールシートの本体部材を軸線方向に沿って切断した縦断面図。
【図７】同リールシートの筒状部材を軸線方向に沿って切断した縦断面図。
【図８】同リールシートの交換部材の背面図。
【図９】同交換部材の平面図。
【図１０】同交換部材を軸線方向の竿尻側から見た側面図。
【図１１】同リールシートを軸線方向に沿って切断した縦断面図であって、保持用ナットを取り外した状態を示す。
【図１２】同リールシートを軸線方向に沿って切断した縦断面図であって、保持用ナットと交換部材を取り外した状態を示す。
【図１３】同リールシートの本体部材と交換部材の関係を示す要部背面図であって、筒状部材と保持用ナットを取り外した状態を示す。
【図１４】同リールシートの交換部材と本体部材を軸線方向の竿尻側から見た側面図。
【図１５】図４の要部拡大図。
【図１６】同リールシートの使用状態を示す正面図。
【図１７】同リールシートの使用状態を示す正面図。
【図１８】同リールシートを備えた釣竿に両軸リールを取り付けた使用状態を示す正面図。
【図１９】同リールシートを備えた釣竿に両軸リールを取り付けた使用状態を示す背面図。
【図２０】同リールシートを備えた釣竿に両軸リールを取り付けた使用状態を示す平面図。
【図２１】本発明の他の実施形態におけるリールシートの交換部材を示す正面図。
【図２２】同交換部材の背面図。
【図２３】同交換部材の平面図。
【図２４】同交換部材を軸線方向の竿尻側から見た側面図。
【図２５】同リールシートの正面図。
【図２６】同リールシートの平面図。
【図２７】同リールシートの背面図。
【図２８】同リールシートを備えた釣竿に両軸リールを取り付けた使用状態を示す正面図。
【図２９】同リールシートを備えた釣竿に両軸リールを取り付けた使用状態を示す平面図。
【発明を実施するための形態】
【００１６】
以下、本発明の一実施形態に係るリールシートについて図１〜図２０を参酌しつつ説明する。本実施形態におけるリールシートは、両軸リール１００を釣竿に取り付けるためのものであって、一般的には、使用状態において両軸リール１００は上側を向く。両軸リール１００は種々の形状であってよいが、一例を図１８〜図２０に示している。両軸リール１００は、リール本体と、リール脚１０１とを備えている。リール本体は、左右一対の側壁部１０２，１０３と、該左右の側壁部１０２，１０３間に位置し、左右の側壁部１０２，１０３に回転可能に支持されるスプール１０４と、該スプール１０４を回転させるためのハンドル１０５と、スプール１０４の回転とハンドル１０５の回転とを連結、解除するためのクラッチ１０６とを備えている。左右一対の側壁部１０２，１０３は、互いに略同一形状であって、本実施形態では正面視の形状が円形であって、略円板状の形状となっているが、正面視の形状が前後方向に長い楕円形等であってもよい。左右一対の側壁部１０２，１０３は、平面視において左右平行に並んでいて、前後所定箇所において互いに連結されている。また、図２０のように平面視において、左右の側壁部１０２，１０３は、竿本体１を中心として左右均等に配置される。そして、平面視において、左側の側壁部１０３は、竿本体１よりも左側に突出、あるいは、はみ出すように位置し、右側の側壁部１０２は、竿本体１よりも右側に突出、あるいは、はみ出すように位置している。何れにしても、釣竿に両軸リール１００を取り付けた状態では、左右の側壁部１０２，１０３は、それぞれ竿本体１に対して側方に向けて左右均等にはみ出した状態となる。スプール１０４は、左右方向の軸線回りに回転して釣り糸を巻き取る。ハンドル１０５は、左右の側壁部１０２，１０３の何れかに回転可能に設けられ、本実施形態では右側の側壁部１０２に設けられていて、右ハンドル仕様となっているが、左側の側壁部１０３に設けられた左ハンドル仕様であってもよい。ハンドル１０５は、スプール１０４と同様に、左右方向の軸線回りに回転する。ハンドル１０５とスプール１０４は同軸上にあってもよく、即ち、ハンドル１０５の回転中心線とスプール１０４の回転中心線が一直線状に位置していてもよいが、ハンドル１０５の回転中心線とスプール１０４の回転中心線が同一線上にはなくて平行関係にあってもよい。リール脚１０１は、両軸リール１００をリールシートに取り付けるためのものである。リール脚１０１は、リール本体の下端部に設けられていて、前後方向に延びている。
【００１７】
リールシートは、竿本体１（ブランク）に外装着される筒状の構成であって、リールシート本体と、保持部材としての保持用ナット３と、図示しないフード用ナット及び可動フードとを備えている。リールシートの中心線は竿本体１の中心線と一致する。リールシートの軸線方向はリールシートの中心線の方向であり、竿本体１の軸線方向は竿本体１の中心線の方向である。リールシートの軸線方向と竿本体１の軸線方向は一致する。リールシートの軸線方向を前後方向と称する。前側は竿先側であり、後側は竿尻側である。図１に前側を矢印Ｘ１で示し、後側を矢印Ｘ２で示している。また、後述するリール脚載置部５
を上側とし、それとは反対側を下側とする。図１に上側を矢印Ｙ１で示し、下側を矢印Ｙ２で示している。
【００１８】
リールシート本体は、全体として筒状であって、その内側を竿本体１が挿通する。従って、リールシート本体は、竿本体１が挿通する竿挿通孔４を有している。リールシート本体は、竿本体１の所定位置に取り付けられる。リールシート本体は竿本体１の外周面に直接接着固定されたり、竿本体１の外周面との間に筒状のスペーサ（図示省略）を介して接着固定されたりする。
【００１９】
リールシート本体は、リール脚載置部５と、固定フード部６と、フード用雄ネジ部７と、保持用雄ネジ部８と、側方膨出部６０と、サポート壁部６１と、パーミンググリップ部７０とを備えている。リール脚載置部５は、図１８〜図２０に示しているリール脚１０１を載置するための部分であって、リールシート本体の上面に形成されている。該リール脚載置部５の後側に固定フード部６が形成されている。固定フード部６は、リール脚１０１の後端部を保持するための部分であって、固定フード部６には、リール脚１０１の後端部が前側から挿入される。
【００２０】
一方、リールシート本体の前部外周面にフード用雄ネジ部７が形成されている。該フード用雄ネジ部７には、フード用ナットが螺合する。該フード用ナットの後側に可動フードが位置し、可動フードはリールシート本体に対して前後方向に移動可能であるが回転不能である。可動フードは筒状であって、その全周のうちの上部に部分的に径方向外側に膨出したフード部が形成されている。可動フードのフード部は、リール脚１０１の前端部を保持する部分であって、そのフード部にリール脚１０１の前端部が相対的に後側から挿入される。フード用ナットの後端部は可動フードの前端部に相対回転可能に係止されていて、フード用ナットが回転しながら前後に移動すると、それに合わせて可動フードは前後に移動するものの回転はしない。フード用ナットを後側に移動させることで可動フードを固定フード部６に接近させることができて可動フードと固定フード部６でリール脚１０１を前後に狭持して固定する。逆に、フード用ナットを前側に移動させると、可動フードは固定フード部６から前側に離れていき、両軸リール１００を釣竿から取り外すことができる。
【００２１】
リールシート本体の後部外周面には、保持用ナット３が螺合する保持用雄ネジ部８が形成されている。該保持用雄ネジ部８は固定フード部６よりも後側に位置している。尚、保持用雄ネジ部８の後側には、雄ネジ部が形成されていない平滑な外周面が後端まで存在しており、その平滑な外周面の長さは、保持用雄ネジ部８の長さと同等あるいはそれよりも長い。
【００２２】
＜側方膨出部６０＞
リールシート本体は、左右非対称の形状となっている。リールシート本体は、左右両側面のうち何れか一方の側面のみに左右方向の外方に向けて膨出した側方膨出部６０を有している。本実施形態におけるリールシートは、右側にハンドル１０５を備えた両軸リール１００を取り付けるためのもの、即ち、右ハンドル仕様のものである。そのため、側方膨出部６０は、リールシート本体の左側の側面のみに形成されている。側方膨出部６０は、パーミング時に、手の平のうち人差し指から小指までの四本の指の付け根の関節部分（ＭＰ関節）、ないしは、触球部に当接してそれを支持する部分である。側方膨出部６０の前端部は、最も後側まで移動した状態の可動フードの後端部の近傍に位置する。側方膨出部６０の後端部は、後述する筒状のグリップ体１６の前端部の近傍あるいは前後方向中間部の近傍に位置する。
【００２３】
側方膨出部６０は、その下端から上端に向けて徐々に側方への膨出量が大きくなる形状となっている。側方膨出部６０の外面は、リールシート本体の下面から滑らかに連続して
おり、上方に向けて徐々に外方に傾斜しつつ延びている。従って、側方膨出部６０の外面は、下から上に向けて外方に向かう傾斜面となっている。側方膨出部６０の前部上面６０ａは、リール脚載置部５に対して若干下側に位置しているか、あるいは、リール脚載置部５と略同一の高さとなっている。何れにしても、側方膨出部６０の前部上面６０ａは、リール脚載置部５よりも上方には突出しない高さとなっている。尚、図２０のように両軸リール１００をリールシートに取り付けた状態では、平面視において、側方膨出部６０は、両軸リール１００の左側の側壁部１０３よりも外方（側方）には突出しない。従って、側方膨出部６０の上面の外縁（外面の上端）は、両軸リール１００の左側の側壁部１０３よりも内方に位置する。
【００２４】
＜サポート壁部６１＞
一方、図１及び図３のように、側方膨出部６０の後部には、サポート壁部６１が上方に向けて突設されている。サポート壁部６１は、パーミング時に手の平に当接してその手の平を内側から支えるためのものである。図２、図３、図１４のように、サポート壁部６１は、固定フード部６の側方に位置する。サポート壁部６１は、左右方向の内側に内面を有し、左右方向の外側に外面を有する形状であって、その内面と外面との間の寸法を厚さとする板状である。即ち、サポート壁部６１の板厚方向は左右方向である。サポート壁部６１の内面は、リールシート本体の中心線に対して側方に離間した位置にあって、竿本体１の中心線と略平行であって且つ略垂直上方に起立している。サポート壁部６１の内面は、固定フード部６の上面と連続してその上面から上方に立ち上がるように延びていてもよいが、本実施形態では、固定フード部６の左側の側面の下端部から上方に向けて立ち上がるように延びている。従って、固定フード部６とサポート壁部６１との間には谷部ないし渓谷部が形成されている。サポート壁部６１の外面は、側方膨出部６０の外面と滑らかに連続している。上述のように側方膨出部６０の外面は上側ほど外側となるように傾斜しているが、サポート壁部６１の外面は、逆に上側ほど内側となるように傾斜している。側方膨出部６０の外面とサポート壁部６１の外面は、セットになって、外側に突出するように湾曲した一つの湾曲面を構成していることが好ましい。また、サポート壁部６１の肉厚は、上側に向けて徐々に薄くなっていることが好ましく、後側に向けて徐々に薄くなっていることが好ましい。
【００２５】
サポート壁部６１は、固定フード部６の頂部６ａよりも上方に突出しており、サポート壁部６１の最上部６４は、固定フード部６の頂部６ａよりも後側に位置している。サポート壁部６１の上面には、後側に向けて徐々に上昇するように傾斜した前側傾斜面６２と、該前側傾斜面６２の後側に延設され、後側に向けて徐々に下降するように傾斜した後側傾斜面６３とが設けられている。前側傾斜面６２は、側方膨出部６０の前部上面６０ａと連続しており、その前部上面６０ａから後側に向けて徐々に上昇している。尚、前側傾斜面６２の前端部６２ａは固定フード部６よりも前側に位置している。前側傾斜面６２は、サポート壁部６１の最上部６４まで上昇している。サポート壁部６１の最上部６４は、前側傾斜面６２と後側傾斜面６３との境界部であって、後側傾斜面６３は、サポート壁部６１の最上部６４から後側に向けて徐々に下降している。後側傾斜面６３は、固定フード部６の後端部よりも後側の位置まで延びていて、サポート壁部６１の後面６５と接続している。前側傾斜面６２及び後側傾斜面６３は、外側に向けて下降するように傾斜したテーパ面となっていることが好ましい。特に、前側傾斜面６２よりも後側傾斜面６３の方が、外側に向けて大きな角度で下降していることが好ましい。尚、前側傾斜面６２や後側傾斜面６３がサポート壁部６１の外面と滑らかに連続していてもよい。サポート壁部６１の後面６５は、外側ほど前側となるように傾斜したテーパ面となっていることが好ましい。
【００２６】
＜パーミンググリップ部７０＞
リールシート本体の下部にパーミンググリップ部７０が形成されている。該パーミンググリップ部７０は、パーミング時に人差し指から小指の裏面（手の平側の面）に当接して
それを支持する。パーミンググリップ部７０は、リールシート本体の下面のうち、リール脚載置部５の下側に対応した部分及び固定フード部６の下側に対応した部分に形成されていると共に、固定フード部６の下側に対応した部分を後側に越えて、保持用雄ネジ部８の前後方向中央部近傍の下側位置まで延びている。パーミンググリップ部７０の下面には、後側に向けて徐々に下降していく下方傾斜面７１が形成されている。下方傾斜面７１は、パーミンググリップ部７０の下面のうち後端近傍部を除いた領域全体に形成されている。下方傾斜面７１は、後側に向けて直線的に下降する形状であってもよいが、本実施形態では、後側に向けて傾斜角度が徐々に大きくなるように上側に向けて湾曲した形状となっている。従って、下方傾斜面７１の後部においては、竿本体１の中心線から大きく下方に離れていく。下方傾斜面７１の前後方向中央部に対応したその上方の位置に、サポート壁部６１の最上部６４が位置している。
【００２７】
パーミンググリップ部７０は、その後部に下方に向けて突出した突起部７２を有している。突起部７２は、上下方向に対して後側に所定角度傾斜した方向に向けて突出している。また、突起部７２の前後方向の寸法は、突起部７２の下端部７２ａ（先端部）に向けて徐々に小さくなっている。そして、下方傾斜面７１は、突起部７２の下端部７２ａまで滑らかに連続して延びており、下方傾斜面７１の後端部は突起部７２の下端部７２ａとなっている。尚、図１４のように突起部７２の左右方向の幅は、下端部に向けて徐々に小さくなっている。突起部７２は、サポート壁部６１よりも後側に位置しており、特に、突起部７２の下端部７２ａの前後方向の位置は、サポート壁部６１の最上部６４の前後方向の位置よりも後側であり、サポート壁部６１の後面６５よりも後側である。パーミンググリップ部７０は、突起部７２の後側に、突起部７２の後面の上端部（基端部）から後側に向けて延びる後方延在部７３を備えている。該後方延在部７３は、グリップ体１６の径方向外側であって下側に位置している。
【００２８】
＜両軸リール１００の取付状態＞
図１８〜図２０に、竿本体１に装着したリールシートに両軸リール１００を取り付けた状態を示している。両軸リール１００が釣竿の上側に位置する状態を通常の状態とする。両軸リール１００のハンドル１０５は右側に位置し、側方膨出部６０とサポート壁部６１はハンドル１０５とは反対側である左側に位置する。図２０のように、側方膨出部６０は、平面視において、両軸リール１００の左側の側壁部１０３よりも外方に突出せず、内側、即ち、竿本体１の中心線側に位置する。図１８のように、側方膨出部６０の前部上面６０ａは、両軸リール１００の左側の側壁部１０３の下面前部の下側に所定の隙間を空けつつ対峙するように位置する。側壁部１０３の下面前部とは、側壁部１０３の下面のうち最下部１０３ａよりも前側の部分である。
【００２９】
サポート壁部６１は、両軸リール１００の左側の側壁部１０３の直後に位置する。サポート壁部６１の前側傾斜面６２は、両軸リール１００の左側の側壁部１０３の下面後部１０３ｂの後側に所定の隙間を空けつつ対峙するように位置する。側壁部１０３の下面後部１０３ｂとは、側壁部１０３の下面のうち最下部１０３ａよりも後側の部分である。サポート壁部６１の前側傾斜面６２の前端部６２ａは、両軸リール１００の左側の側壁部１０３の最下部１０３ａの直下もしくはその近傍に位置する。両軸リール１００の左側の側壁部１０３の下面後部１０３ｂは、図１８のように、両軸リール１００の左側の側壁部１０３の最下部１０３ａから後側に向けて徐々に曲線を描きつつ立ち上がっていくが、その立ち上がり形状に対応するように、サポート壁部６１の前側傾斜面６２はその前端部６２ａから後側に向けて徐々に曲線を描きつつ立ち上がっていく。そして、サポート壁部６１の最上部６４は、両軸リール１００の左側の側壁部１０３の最後部１０３ｃの直後もしくはその近傍に位置し、サポート壁部６１の最上部６４の高さは、両軸リール１００の左側の側壁部１０３の最後部１０３ｃの高さと同程度あるいはそれよりも若干低い状態となる。
【００３０】
図２０のように、サポート壁部６１は、平面視において、両軸リール１００の左側の側壁部１０３よりも外方には突出せず、それよりも内側に位置する。一方、サポート壁部６１の内面は、竿本体１の中心線に対して外方に所定距離離間しており、サポート壁部６１はクラッチ１０６とは干渉せず、クラッチ１０６の後方は開放された状態にある。
【００３１】
＜パーミング時＞
図１９及び図２０にパーミング時における左手を二点鎖線で示している。パーミング時には、左手で両軸リール１００とリールシートを包み込むようにして把持する。具体的には、左手の親指の腹の部分を両軸リール１００の左側の側壁部１０３の上面（特には上面の最上部）に当て、人差し指から小指までの四本の指でパーミンググリップ部７０を把持する。人差し指から小指までの四本の指を図１９のようにパーミンググリップ部７０の下方傾斜面７１に当てるようにして把持すると、四本の指による把持力はパーミンググリップ部７０の下方傾斜面７１に図１９に矢印Ｐで示しているように斜め上方且つ後方に向かって作用する。矢印Ｐの方向の延長線上にはサポート壁部６１が位置している。即ち、サポート壁部６１は、矢印Ｐの方向に沿って上方且つ後方に斜め方向に突出している。そして、パーミング時に、サポート壁部６１の後側傾斜面６３は、手の平の母指球に当接する。従って、手の平の母指球と人差し指から小指までの四本の指で、リールシートを斜め方向に把持することになる。また、側方膨出部６０の外面は人差し指から小指の付け根に位置する触球部に当接し、触球部と母指球との間の手の平の中央部にはサポート壁部６１の外面が当接する。
【００３２】
このようにリールシート本体の左側部にサポート壁部６１が形成されているので、パーミング時に左手の手の平にサポート壁部６１の外面が当接し、左手の手の平が両軸リール１００の左側の側壁部１０３の直後においてサポート壁部６１によって内側から支えられることになる。また、リールシート本体の左側部には側方膨出部６０が形成されているので、側方膨出部６０とサポート壁部６１とによって、パーミング時のフィット感が向上する。また、良好なフィット感が得られるので、釣り人の手の負担が軽減され、長時間楽に釣りを行うことができる。
【００３３】
特に、サポート壁部６１の前側傾斜面６２が両軸リール１００の左側の側壁部１０３の下面後部１０３ｂに対峙するので、サポート壁部６１の外面が自然な状態で手の平にフィットする。サポート壁部６１の前側傾斜面６２は、両軸リール１００の左側の側壁部１０３の下面後部１０３ｂの立ち上がり形状に沿って後側に向けて斜め上方に傾斜しているので、両軸リール１００の左側の側壁部１０３の下面後部１０３ｂとサポート壁部６１との間に大きな空間が空きにくく、パーミング時のホールド感、フィット感に優れる。また、サポート壁部６１の上面に後側傾斜面６３が設けられていて、その後側傾斜面６３が手の平の母指球に当接するので、パーミング時のフィット感がより一層向上する。
【００３４】
しかも、パーミンググリップ部７０に下方傾斜面７１が形成されているので、下方傾斜面７１を中指や薬指等の指で内側に押すことで、サポート壁部６１に手の平の母指球が自然と当接することになる。パーミンググリップ部７０の下方傾斜面７１とサポート壁部６１の後側傾斜面６３が同じ方向に傾斜しているので、リールシートを斜め方向にしっかりと把持することができる。そして、手の平の母指球にサポート壁部６１の下方傾斜面７１をしっかりと押し付けることができるので、両軸リール１００及びリールシートと手の平との密着性がより一層高まる。また、パーミンググリップ部７０の下方傾斜面７１の傾斜角度が後側に向けて徐々に大きくなっているので、小指までしっかりと把持することができ、手の負担が軽減される。
【００３５】
＜リールシート本体の部材構成＞
次に、本実施形態におけるリールシート本体の部材構成について説明する。リールシート本体は、互いに分離可能な複数の部材から構成されている。リールシート本体は、固定部材と該固定部材とは別体に構成された交換部材１１とを備えている。固定部材は、竿本体１に接着固定される。固定部材は、リールシート本体の主要部を構成していて、リール脚載置部５と固定フード部６とフード用雄ネジ部７と保持用雄ネジ部８を有している。交換部材１１は、リールシート本体の下側部分を構成していて、固定部材に対して下方に分離可能であって、下方から着脱自在に取り付けられる。交換部材１１は、側方膨出部６０とサポート壁部６１とパーミンググリップ部７０を有している。
【００３６】
＜固定部材＞
固定部材は、一つの部材から構成されていてもよいが、本実施形態では互いに別体にて構成された前後二つの部材から構成されている。即ち、固定部材の前側部分であって主要部である本体部材１２と、固定部材の後側部分を構成する筒状部材１３とから構成されている。本体部材１２と筒状部材１３は前後に接合されている。詳細には、本体部材１２の後端面１２ａと筒状部材１３の前端面１３ａとが前後方向に対峙するように面接触していて、本体部材１２と筒状部材１３はネジ１４により一体化されている。但し、本体部材１２と筒状部材１３の取り付け方法はネジ１４に限られず任意であって接着等であってもよい。
【００３７】
＜本体部材１２＞
本体部材１２にリール脚載置部５と固定フード部６とフード用雄ネジ部７が形成されている。本体部材１２は全体としては筒状であるが、その前後方向の中途部は、全周のうち下側略半分の領域が切り欠かれていて上側の略半分の領域のみとされている。即ち、本体部材１２は、前側から順に、筒状の前筒部２０と、上側のみの上半割状とされた上半割状部２１と、筒状の後筒部２２に区分される。前筒部２０にはフード用雄ネジ部７が形成され、主として上半割状部２１の上面にリール脚載置部５が形成され、後筒部２２には固定フード部６が形成されている。このように上半割状部２１は上側領域のみの半割状とされていることから、竿挿通孔４は上半割状部２１において下方に開口している。また、上半割状部２１の前後には、二つの筒部である前筒部２０と後筒部２２が形成されていて、それらの前筒部２０と後筒部２２において竿本体１の外周面に全周に亘って直接あるいは間接的に固定されるので、上半割状部２１を有していても、竿本体１に本体部材１２を確実に固定できる。前筒部２０はその後端部を除いて交換部材１１には覆われずに外部に露出する一方、後筒部２２はその上側領域については交換部材１１によって覆われずに外部に露出するもののその下側領域については交換部材１１によって覆われるため外部には露出しない。
【００３８】
本体部材１２に下方から交換部材１１が取り付けられる。そのため、本体部材１２の下側部分の外面には、交換部材１１が径方向外側から重なり合う重ね合わせ面２３が形成されている。図５において重ね合わせ面２３の箇所には多数のドットを付して示している。重ね合わせ面２３においては本体部材１２と交換部材１１とが内外重なり合って二重の構成となる。具体的には、重ね合わせ面２３は、前筒部２０の後端部の下部から上半割状部２１、後筒部２２の下部にかけて形成されていて、交換部材１１が本体部材１２に取り付けられた状態では交換部材１１によって覆われて見えなくなる。
【００３９】
重ね合わせ面２３は、本体部材１２の外面に対して一段径方向内側に位置するようにして形成されている。即ち、重ね合わせ面２３と本体部材１２の外面との間の境界部には段差部が形成されている。段差部は、重ね合わせ面２３の前端部に位置する前段差部２４と、該前段差部２４の上端部から後方に延びていて本体部材１２の後端部まで達する上段差部２５とから構成されている。前段差部２４は、最下部から左右両側に向けて左右対称関係を有して上方に延びていて、前後方向に見たときには略Ｕ字状に形成されている。より詳細には、前段差部２４は、最下部から前側に傾斜しつつ上方に延びていて、従って、前
段差部２４は前側ほど上側となる傾斜面を有しており、該傾斜面は左右それぞれ形成されている。本実施形態では、前段差部２３の全長に亘って傾斜面が形成されている。また、前段差部２４が、交換部材１１の前端部４０を受け止める受け部を構成していると共に、交換部材１１の前端部４０を下側から係止する係止部を構成している。
【００４０】
重ね合わせ面２３は、上半割状部２１においては前後方向に延びていて左右一対形成されている。かかる上半割状部２１における左右一対の重ね合わせ面２３には、それぞれ中間係止部として係止凸部２６が形成されている。左右の重ね合わせ面２３はそれぞれ左右外側を向いており、係止凸部２６は左右外側に向けて突設されている。係止凸部２６は上段差部２５から下方且つ後方に向けて延びていて、その下端部は重ね合わせ面２３の下端部よりも下方に突出している。尚、係止凸部２６の下端部は前後方向に円弧状に湾曲している。係止凸部２６は上半割状部２１の後部に位置していて、上段差部２５の中間部に位置しており、左右一対の係止凸部２６は互いに対向配置となっている。
【００４１】
図６のように、本体部材１２の後端面１２ａが筒状部材１３との接合面となっている。該接合面は前後方向に対して直交した面であって竿挿通孔４の後端開口部の全周に亘って形成されている。該接合面の上部には、後方に向けてカバー片部２７が庇状に突設されている。該カバー片部２７は、図１４に示しているように、後方から見て円弧状であって、その中心角は１８０度未満である。また、接合面の全周のうちの上部は局所的に径方向の寸法が大きくなっており、その左右方向の中央部には、筒状部材１３を本体部材１２にネジ止めするための下孔２８が形成されている。該下孔２８は、カバー片部２７の基端部の直ぐ下側に位置している。
【００４２】
＜筒状部材１３＞
筒状部材１３の前端面１３ａが筒状部材１３の接合面となっている。該筒状部材１３の接合面も前後方向に対して直交する面となっており、本体部材１２の接合面に筒状部材１３の接合面が後側から当接して、本体部材１２と筒状部材１３は互いに同軸上に接合一体化される。筒状部材１３の前部の外周面には第一膨出部３１と第二膨出部３２が形成されている。第一膨出部３１は筒状部材１３の前端部に位置していて、第二膨出部３２は第一膨出部３１の後側に連設されている。第一膨出部３１は、上方に向けて鍔状に膨出していて、筒状部材１３が本体部材１２に取り付けられた状態において本体部材１２のカバー片部２７の径方向内側に入り込んだ状態となる。即ち、第一膨出部３１は、カバー片部２７によって径方向外側から覆われ、第一膨出部３１の後面はカバー片部２７の後端面と略面一となる。第一膨出部３１の上面は周方向に湾曲した周面（湾曲面）であって、カバー片部２７の内面と対峙する。第二膨出部３２は第一膨出部３１と同様に上方に向けて鍔状に膨出しているが、その高さは第一膨出部３１よりも低く、上方への膨出量は小さい。第二膨出部３２の上面も周方向に湾曲した周面であって、後述する交換部材１１の突片部４５の外周面と略同一半径で略同一円上に位置する。
【００４３】
図７のように、第一膨出部３１の上面の頂上部には、上方に開口したネジ１４用のザグリ凹部３３が形成されていると共にその前側にはネジ用貫通孔３４が形成されており、該ザグリ凹部３３からネジ用貫通孔３４を介してネジ１４が本体部材１２の下孔２８へとねじ込まれる。このように、筒状部材１３は第一膨出部３１の頂上部において一本のネジ１４により本体部材１２とネジ止めされる。ネジ１４は仮止めとして機能していると共に、本体部材１２と筒状部材１３の間の周方向の位置決めの役割も担っている。リールシート単体では一本のネジ１４で本体部材１２の上部に筒状部材１３がネジ止めされているが、竿本体１にリールシートが取り付けられた状態においては、本体部材１２と筒状部材１３は何れも竿本体１に接着される。尚、ネジ１４の頭部は、本体部材１２のカバー片部２７の内側に位置し、カバー片部２７の内側に隠れた状態となる。第二膨出部３２の上面の頂上部には第一膨出部３１のザグリ凹部３３と連続する凹溝３５が第二膨出部３２を前後方
向に横断するようにして形成されている。本体部材１２に筒状部材１３を合体させる組み立て作業時に、例えばドライバで凹溝３５からネジ１４を締め込み操作できる。第二膨出部３２の後側に保持用雄ネジ部８が形成され、該保持用雄ネジ部８の後端部から筒状部材１３の後端部までの部分の外周面は凹凸のない平滑な外周面となっている。
【００４４】
＜交換部材１１＞
交換部材１１は、本体部材１２の上半割状部２１の下側に開口している下方開口部を下方から覆う。交換部材１１は、その全長のうちの大部分を占める主要部が下半割状に形成されていて、横断面視においては略半円の円弧状あるいは略Ｕ字状に形成されている。交換部材１１の前端部４０は、本体部材１２の前段差部２４に対応した形状となっている。本体部材１２の前段差部２４が左右一対の傾斜面を有していることから、交換部材１１の前端部４０もそれに対応して最下部から前側且つ上方に向けて傾斜して延びる傾斜面を有している。この交換部材１１の前端部４０の傾斜面が、本体部材１２の係止部である傾斜面によって係止される。従って、交換部材１１の前端部４０の傾斜面が被係止部を構成している。
【００４５】
交換部材１１の内面には、本体部材１２の重ね合わせ面２３に対応して重ね合わせ面４１が形成されている。尚、図１２において交換部材１１の重ね合わせ面４１の箇所には多数のドットを付して示している。また、交換部材１１の内面の一部は竿挿通孔４の壁面４２を構成している。重ね合わせ面４１は竿挿通孔４の壁面４２よりも径方向の一段外側に形成されている。また、交換部材１１の前後方向の中途部の内面には、本体部材１２の係止凸部２６が係合する係止凹部４３が形成されている。係止凹部４３は、左右一対形成されており、本体部材１２の係止凸部２６に対応して、交換部材１１の上端部から斜め後方に向けて形成されている。尚、係止凹部４３は重ね合わせ面４１に形成されているが、その下端部は重ね合わせ面４１を下方に若干越えて竿挿通孔４の壁面４２まで達している。
【００４６】
交換部材１１の下半割状部の後端部には、前後方向に対して直交する面である被押圧部としての被押圧面４４と、該被押圧面４４の径方向内側の端部から後方に突出する突片部４５とが形成されている。被押圧面４４は、下半割状部の後端面であって、そこから更に後方に向けて突片部４５が突出している。交換部材１１は下側半分の下半割状部を備えているが、その下半割状部の後端部においては下側の半周分（１８０度分）を越えて上方に向けて所定長さ延びている。図１０のように交換部材１１の下半割状部の後端部を後方から見たとき、交換部材１１の下半割状部の後端部は上方に開口したＵ字状ないしＣ字状となっており、被押圧面４４も上方に開口したＵ字状ないしＣ字状となっている。そして、その被押圧面４４の周方向の全周のうち所定長さ領域に突片部４５が形成されている。該突片部４５は、後方から見たとき、被押圧面４４に対応してＵ字状ないしＣ字状であって、下側の半周分を越えて上方に所定長さ延びた形状となっている。但し、突片部４５は被押圧面４４の周方向の全長に亘って形成されてはおらず、被押圧面４４の周方向の両端部４４ａには形成されていない。従って、被押圧面４４の周方向の両端部４４ａは突片部４５の周方向の両端部４５ａよりも上側に延びている。突片部４５は薄肉に形成されているが、図１５のように、その先端部の外面には径方向外側に向けて係合突条４６が突設されている。該係合突条４６は突片部４５の周方向に沿って延びていて突片部４５の全長に亘って形成されている。このように突片部４５の先端部に係合突条４６が形成されていることにより、突片部４５の先端部は突片部４５の他の部分に比して局所的に厚肉となっている。
【００４７】
交換部材１１は固定部材に下側から嵌合し、その嵌合によって交換部材１１は保持用ナット３がなくても自然落下しない程度に固定部材に保持されることが好ましい。また、本体部材１２と筒状部材１３との接合部１５の全周のうち上部領域は、本体部材１２に筒状部材１３がネジ止めされることで、本体部材１２のカバー片部２７によって径方向外側か
ら覆われているが、接合部１５の全周のうち、カバー片部２７によって覆われずに残った下部領域は、交換部材１１が固定部材に嵌合することによって、その交換部材１１により径方向外側から覆われる。従って、交換部材１１が固定部材に取り付けられると、本体部材１２と筒状部材１３の接合部１５は全周に亘って見えなくなる。
【００４８】
このように交換部材１１が固定部材に取り付けられた状態においては、本体部材１２のカバー片部２７の後端面２７ａの下側に交換部材１１の被押圧面４４が位置し、筒状部材１３の第二膨出部３２の下側に交換部材１１の突片部４５が位置する。そして、図１３のように、交換部材１１の被押圧面４４は、本体部材１２のカバー片部２７の後端面２７ａよりも後方に僅かに突出した状態となる。本体部材１２のカバー片部２７の後端面２７ａに対する交換部材１１の被押圧面４４の後方への突出量Ｄは僅かであって、１ｍｍ以下、好ましくは、０．１ｍｍ以上０．５ｍｍ以下である。このように交換部材１１の被押圧面４４が本体部材１２のカバー片部２７の後端面２７ａよりも後方に僅かに突出した状態となるので、主として交換部材１１の被押圧面４４が保持用ナット３によって前側に押圧されることになる。
【００４９】
側方膨出部６０は、交換部材１１の主として下半割状部に形成されている。側方膨出部６０は、下半割状部の全長に亘って形成されており、交換部材１１の前端部４０から少なくとも下半割状部の後端部即ち被押圧面４４の位置まで連続的に形成されている。側方膨出部６０は交換部材１１には形成されているものの固定部材には形成されていない。同様に、サポート壁部６１とパーミンググリップ部７０は交換部材１１には形成されているものの固定部材には形成されていない。従って、固定部材から交換部材１１を取り外すことにより、側方膨出部６０と、サポート壁部６１と、突起部７２を含めたパーミンググリップ部７０は、一括的に固定部材から外れることになる。上述のように、リールシート本体は左右非対称の形状となっているが、固定部材は左右対称形状である。従って、交換部材１１が左右非対称形状となっていることによってリールシート本体が左右非対称の形状となっている。
【００５０】
＜保持用ナット３＞
保持用ナット３は筒状であって、径一定であってもよいが、本実施形態では、径が異なる複数の部分を有している。保持用ナット３の前端部には、他の部分よりも内径が大きい筒状のカバー部５０を有している。保持用ナット３は、その内周面に、保持用雄ネジ部８と螺合する雌ネジ部５１を有しているが、カバー部５０の内径は雌ネジ部５１よりも大きい。
【００５１】
カバー部５０は、交換部材１１の突片部４５と筒状部材１３の第二膨出部３２を径方向外側から覆う。カバー部５０の内周面には周方向に延びる係合溝５２が全周に亘って形成されている。即ち、係合溝５２は環状に形成されている。該保持用ナット３の係合溝５２に交換部材１１の係合突条４６が係合する。係合溝５２は、カバー部５０の内周面のうち先端部から所定長さ奥側の位置に形成されている。従って、保持用ナット３を締め付けていくと、保持用ナット３のカバー部５０の先端部内周面が交換部材１１の突片部４５の係合突条４６を乗り越えていって、その後、保持用ナット３のカバー部５０の係合溝５２に交換部材１１の突片部４５の係合突条４６が係合する。
【００５２】
保持用ナット３の前端面３ａが、交換部材１１の被押圧面４４を前側に押圧する押圧部を構成している。保持用ナット３のカバー部５０の外周面は、他の部分と同一径であってもよいが、本実施形態では他の部分よりも大径とされている。そのカバー部５０の外周面の前端部には、環状のフランジ部５３が径方向外側に向けて突設されている。このように保持用ナット３の前端部外周面に環状のフランジ部５３を設けることで保持用ナット３の前端面３ａの面積を拡大できる。
【００５３】
カバー部５０の後側に雌ネジ部５１が形成されており、該雌ネジ部５１の後端部から保持用ナット３の後端部までの間の内周面は平滑面となっている。尚、図１等に二点鎖線で示しているように、保持用ナット３の外側には筒状のグリップ体１６が装着される。該グリップ体１６は例えば発泡ＥＶＡやコルク等からなる。グリップ体の前部の径方向外側であって下側の位置には、交換部材１１のパーミンググリップ部７０の後部が位置する。具体的には、グリップ体１６の前部の径方向外側であって下側の位置には、パーミンググリップ部７０の後方延在部７３が位置する。パーミンググリップ部７０の後方延在部７３の内面は筒状部材１３の保持用雄ネジ部８から下側に離れて位置しており、後方延在部７３の内面と筒状部材１３の保持用雄ネジ部８との間には所定の空間が存在している。その空間にグリップ体１６が一体的に装着された保持用ナット３の前部が入り込むようになっている。
【００５４】
＜材質＞
本体部材１２、筒状部材１３、交換部材１１及び保持用ナット３は、何れも射出成形により形成してよい。材質としては、種々の合成樹脂であってよく、同一の材質であってもよいが、異なる材質とすることが好ましい。特に、本体部材１２と交換部材１１は、筒状部材１３や保持用ナット３に比して相対的に強度の高い材質を使用することが好ましい。本体部材１２と交換部材１１の材質としては、繊維強化樹脂が好ましく、特に、長さが１ｍｍ以下の短繊維を強化繊維とした繊維強化樹脂が好ましい。また、その繊維としてはカーボン繊維が好ましい。一方、筒状部材１３と保持用ナット３の材質も種々の硬質の合成樹脂であってよく、繊維強化樹脂を使用することも好ましく、例えば、ガラス繊維強化ナイロン樹脂製とすることができる。
【００５５】
＜リールシートの竿本体１への取り付け＞
リールシート本体が竿本体１に固定される。リールシート本体は竿本体１の外周面に直接接着固定されたり、竿本体１の外周面との間に筒状のスペーサ（図示省略）を介して接着固定されたりする。固定部材が竿本体１に固定され、交換部材１１は固定部材を介して竿本体１に着脱可能に取り付けられることになる。
【００５６】
＜交換部材１１の取付、取り外し＞
図１６のように保持用ナット３を緩めた状態で交換部材１１を本体部材１２と筒状部材１３に下側から嵌合させる。尚、筒状部材１３は、予め本体部材１２にネジ１４により取り付けておく。交換部材１１を下側から固定部材に嵌合した状態で、保持用ナット３を回転させて前側に移動させていくと、やがて保持用ナット３のカバー部５０が交換部材１１の突片部４５に到達する。交換部材１１の突片部４５の外周面には係合突条４６が形成されているので、保持用ナット３のカバー部５０の内周面は交換部材１１の突片部４５の係合突条４６を乗り越えながら前側へ強制的に進んでいく。そして、保持用ナット３のカバー部５０の係合溝５２が交換部材１１の突片部４５の係合突条４６に係合すると、保持用ナット３の前端面３ａが交換部材１１の被押圧面４４に当接し、そこから更に保持用ナット３を強く締め込むことで保持用ナット３が交換部材１１を前側に押圧する。このように交換部材１１が取り付けられた状態においては、筒状部材１３は保持用ナット３によって覆われて見えなくなる。
【００５７】
交換部材１１の前端部４０は本体部材１２の係止部である傾斜面（前段差部２４）によって係止されているので、交換部材１１の前端部４０の下方への落下が防止される。一方、交換部材１１の後端部においては、突片部４５が保持用ナット３のカバー部５０によって径方向外側から覆われているので、交換部材１１の後端部の下方への落下も防止される。しかも、保持用ナット３が交換部材１１を前側に押圧しているので、交換部材１１は保持用ナット３と本体部材１２とによって前後に狭持される。従って、交換部材１１がぐらついたりすることなく強固な取付状態が得られる。また、保持用ナット３が交換部材１１を前側に押すと、本体部材１２の傾斜面である前段差部２４によって交換部材１１の前端部４０には上側への力が作用することになり、交換部材１１が自動的に本体部材１２側である上側へと移動して本体部材１２にしっかりと密着することになる。
【００５８】
交換部材１１は保持用ナット３によって押圧されるため、交換部材１１の前後方向の中途部が下方に撓む可能性があるが、本体部材１２に中間係止部としての係止凸部２６が形成されていて交換部材１１の係止凹部４３に係合しているので、交換部材１１の前後方向の中途部が下方に撓んだり移動したりしにくくなって、より一層しっかりと交換部材１１が固定される。特に、係止凸部２６や係止凹部４３が本体部材１２の傾斜面（前段差部２４）と同じ向きに傾斜しているので、保持用ナット３によって交換部材１１が前側に押されることで、交換部材１１の前端部４０のみならず中途部においても上側への力が作用することになり、交換部材１１を全長に亘ってしっかりと本体部材１２に押し付けて固定することができる。
【００５９】
また更に、交換部材１１の突片部４５の外周面に係合突条４６が形成されていて保持用ナット３の係合溝５２に係合するので、交換部材１１をより一層強固に固定でき、且つ、取り付け状態を維持することができる。特に、突片部４５が下側の半周分を越えて上側に延びていてその周方向の全長に亘って係合突条４６が形成されているので、係合溝５２と係合突条４６との係合状態がより一層確実なものとなり、交換部材１１の固定力を高めることができる。しかも、その突片部４５よりも更に上側まで被押圧面４４が延びているので、保持用ナット３による押圧力も確実に交換部材１１に作用させることができる。
【００６０】
一方、交換部材１１を固定部材から取り外す際には、図１に示すように交換部材１１が取り付けられた状態から、図１７のように保持用ナット３を反対側に回転させて後進させることで、図１６のように交換部材１１を固定部材から下方に向けて離反させることができる。このような交換部材１１の取付、取り外し作業は、リールシート単体の状態で行うことができる他、釣竿にリールシートが取り付けられた状態のままでも行うことができる。即ち、竿本体１に固定部材が取り付けられた状態で、交換部材１１を取り付けたり、取り外したりすることができる。
【００６１】
従って、他の種類の交換部材１１を準備しておけば、釣竿にリールシートが取り付けられている状態のまま交換部材１１のみを交換することができる。例えば、左側にサポート壁部６１が形成された交換部材１１から、右側にサポート壁部６１が形成された交換部材１１に交換することもできる。従って、交換部材１１のみを交換することで、左側にハンドル１０５を備えた両軸リール１００を釣竿に取り付けることができる。また、サポート壁部６１の形状や大きさ、側方膨出部６０の膨出量、パーミンググリップ部７０の下方傾斜面７１の傾斜角度、突起部７２の位置や大きさやその有無等、種々の仕様の交換部材１１に容易に取り替えて楽しむことができる。また、交換部材１１の材質や色、デザイン等が異なる他の交換部材１１に容易に交換することもできる。そのため、釣り人の好みやリールの種類、対象魚や状況等に応じて、釣り人が自由にリールシートをカスタマイズして楽しむことができる。
【００６２】
このような交換部材１１の交換は、釣竿にリールシートが取り付けられた状態のままで行うことができるため、釣り人自らが容易に交換することができる。例えば、釣りの現場においても交換部材１１を容易に交換でき、また、両軸リール１００を釣竿に取り付けた状態のままでも交換部材１１を交換することができる。特に、保持用ナット３の操作のみで交換することができるので、交換作業は極めて簡単であって素早く交換することができる。尚、交換部材１１を取り外しても、リールシートにはリール脚載置部５や固定フード部６、可動フード、フード用ナットがそのまま残っているため、交換部材１１を取り外し
たリールシートに両軸リール１００を装着して釣りを行うことも可能である。
【００６３】
サポート壁部６１やパーミンググリップ部７０の仕様が異なる交換部材１１の一例を図２１〜図２４に示している。また、その交換部材１１を取り付けたリールシートを図２５〜図２９に示している。この交換部材１１は、上述した交換部材１１に対して主としてサポート壁部６１とパーミンググリップ部７０の形状が異なっている。この交換部材１１は、上述した交換部材１１に対して、サポート壁部６１の前側傾斜面６２の上方への傾斜角度が小さく、最上部６４の高さも若干低い。サポート壁部６１の後側傾斜面６３の下方への傾斜角度は逆に大きくなっている。また、パーミンググリップ部７０の下方傾斜面７１の傾斜角度は、特に後部において大きくなっていて、突起部７２も下方に大きく突出している。このようにサポート壁部６１やパーミンググリップ部７０の形状も種々変更可能であって、種々の形状の交換部材１１に任意に交換できる。
【００６４】
尚、上記実施形態では、交換部材１１のパーミンググリップ部７０が突起部７２を備えた構成であったが、突起部７２を備えない構成であってもよい。
【００６５】
また、上記実施形態では、保持部材としての保持用ナット３が交換部材１１を直接押圧する構成としていたが、保持用ナット３が他の部材を介して交換部材１１を間接的に押圧する構成であってもよい。
【００６６】
また更に、固定部材に対して交換部材１１が取り付け、取り外し可能な構成であったが、固定部材と交換部材１１とが一体的に形成されて一つの部材として構成されていてもよい。即ち、側方膨出部６０やサポート壁部６１、パーミンググリップ部７０がリール脚載置部５や固定フード部６等と同様にリールシート本体に一体的に形成された構成であってもよい。従って、固定フード部６からサポート壁部６１が連続して突設されていてもよい。保持用ナット３と保持用雄ネジ部８を備えていない構成であってもよい。
【符号の説明】
【００６７】
１    竿本体
３    保持用ナット
３ａ  前端面
４    竿挿通孔
５    リール脚載置部
６    固定フード部
６ａ  頂部
７    フード用雄ネジ部
８    保持用雄ネジ部
１１    交換部材
１２    本体部材
１２ａ  後端面
１３    筒状部材
１３ａ  前端面
１４    ネジ
１５    接合部
１６    グリップ体
２０    前筒部
２１    上半割状部
２２    後筒部
２３    重ね合わせ面
２４    前段差部
２５    上段差部
２６    係止凸部
２７    カバー片部
２７ａ  後端面
２８    下孔
３１    第一膨出部
３２    第二膨出部
３３    ザグリ凹部
３４    ネジ用貫通孔
３５    凹溝
４０    前端部
４１    重ね合わせ面
４２    竿挿通孔の壁面
４３    係止凹部
４４    被押圧面
４４ａ  周方向の端部
４５    突片部
４５ａ  周方向の端部
４６    係合突条
５０    カバー部
５１    雌ネジ部
５２    係合溝
５３    フランジ部
６０    側方膨出部
６０ａ  前部上面
６１    サポート壁部
６２    前側傾斜面
６２ａ  前端部
６３    後側傾斜面
６４    最上部
６５    後面
７０    パーミンググリップ部
７１    下方傾斜面
７２    突起部
７２ａ  下端部
７３    後方延在部
１００  両軸リール
１０１  リール脚
１０２  右側の側壁部
１０３  左側の側壁部
１０３ａ  最下部
１０３ｂ  下面後部
１０３ｃ  最後部
１０４  スプール
１０５  ハンドル
１０６  クラッチ
【図１】
2020127414.tif 000003
【図２】
2020127414.tif 000004
【図３】
2020127414.tif 000005
【図４】
2020127414.tif 000006
【図５】
2020127414.tif 000007
【図６】
2020127414.tif 000008
【図７】
2020127414.tif 000009
【図８】
2020127414.tif 000010
【図９】
2020127414.tif 000011
【図１０】
2020127414.tif 000012
【図１１】
2020127414.tif 000013
【図１２】
2020127414.tif 000014
【図１３】
2020127414.tif 000015
【図１４】
2020127414.tif 000016
【図１５】
2020127414.tif 000017
【図１６】
2020127414.tif 000018
【図１７】
2020127414.tif 000019
【図１８】
2020127414.tif 000020
【図１９】
2020127414.tif 000021
【図２０】
2020127414.tif 000022
【図２１】
2020127414.tif 000023
【図２２】
2020127414.tif 000024
【図２３】
2020127414.tif 000025
【図２４】
2020127414.tif 000026
【図２５】
2020127414.tif 000027
【図２６】
2020127414.tif 000028
【図２７】
2020127414.tif 000029
【図２８】
2020127414.tif 000030
【図２９】
2020127414.tif 000031
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
前後方向に延びるリール脚が載置されるリール脚載置部を上面に有するリールシート本体の固定部材に、下側から着脱自在に篏合するリールシートの交換部品であって、  左右何れか一方の側面のみに外方に向けて膨出した側方膨出部と、  前記側方膨出部より上方に向けて突設され、パーミング時に手の平に当接するサポート壁部と、  前記側方膨出部より下方に向けて突設され、パーミング時に手の指に当接するパーミンググリップ部と、を備えたリールシートの交換部品。
【請求項２】
前記サポート壁部は、前記リールシート本体の固定フードの側方に位置するとともに、前記固定フードより上方に突出し、前記サポート壁部は、前記固定フードの頂部より後ろ側に位置する最上部を備えた請求項１に記載のリールシートの交換部品。
【請求項３】
前記サポート壁部は、  前記最上部まで、後側に向けて上昇するように傾斜した前側傾斜面と、前記最上部から、後側に向けて下降するように傾斜した後側傾斜面と、を備えた請求項２に記載のリールシートの交換部品。
【請求項４】
前記固定部材に係止される被係止部を備えた、請求項１から３のいずれかに記載のリールシートの交換部品。
【請求項５】
横断面視において略半円の円弧状あるいは略Ｕ字状に形成され、前記固定部材を下方から覆う下半割状部を備えた請求項１から４のいずれかに記載のリールシートの交換部品。
【請求項６】
前記下半割状部の後端に設けられ、保持用ナットによって前側に押圧される被押圧面を備えた請求項５に記載のリールシートの交換部品。
【手続補正２】
【補正対象書類名】明細書
【補正対象項目名】全文
【補正方法】変更
【補正の内容】
【発明の詳細な説明】
【技術分野】
【０００１】  本発明は、釣竿に両軸リールを固定するための釣竿用のリールシートに着脱自在に篏合する交換部品に関する。
【背景技術】
【０００２】  両軸リールは上を向いた状態で使用される。そのため、両軸リールを釣竿に固定するための釣竿用のリールシートは、両軸リールのリール脚が載置されるリール脚載置部を上面に有している。両軸リールは左右一対の側壁部を備えていて、左右両側壁部の間に糸を巻き取るためのスプールを備えている。また、左右両側壁部のうちの一方にハンドルを備えている。例えば、右側にハンドルを備える場合、右側の側壁部の外側にハンドルが位置する。従って、右側のハンドルを回転させて糸を巻き取るときには、左手の親指を両軸リールの左側の側壁部の上面に載せ、左手の他の四本の指はリールシートの下面に位置させるようにして、両軸リールとリールシートを左手の全体で包み込むように把持する。このような把持の仕方を一般的にはパーミングと称する。【０００３】  下記特許文献１〜４にはパーミング時におけるフィット感の向上を目的とした構成について開示されているが、十分ではない。
【先行技術文献】
【特許文献】
【０００４】
【特許文献１】特開平９−１７２９１５号公報
【特許文献２】実開平６−３０７５号公報
【特許文献３】実開平２−１７４６２４号公報
【特許文献４】実開平１−８２７６５号公報
【発明の概要】
【発明が解決しようとする課題】
【０００５】  それゆえに本発明は、パーミング時におけるフィット感を向上させて釣り人の負担を軽減させることができるリールシートの交換部品を提供することを課題としている。
【課題を解決するための手段】
【０００６】  本発明は上記課題を解決すべくなされたものであって、本発明に係るリールシートの交換部品は、両軸リールのリール脚が載置されるリール脚載置部を上面に有するリールシート本体の固定部材に、下側から着脱自在に篏合するリールシートの交換部品であって、左右何れか一方の側面のみに外方に向けて膨出した側方膨出部と、側方膨出部より上方に向けて突設され、パーミング時に手の平に当接し支持するサポート壁部と、側方膨出部より下方に向けて突設され、パーミング時に手の指に当接し支持するパーミンググリップ部と、を備えていることを特徴とする。【０００７】 本発明の交換部品が装着されたリールシートに両軸リールを取り付けると、両軸リールのハンドルとは反対側の側壁部の直後にサポート壁部が位置する。例えば、右側にハンドルが位置する場合、両軸リールの左側の側壁部の直後にサポート壁部が位置することになる。パーミング時には、ハンドルを操作する手とは反対側の手である左手で、両軸リールとリールシートを包み込むように把持する。その状態において左手の手の平にサポート壁部が当接する。即ち、パーミング時に、左手の手の平が両軸リールの左側の側壁部の直後においてサポート壁部によって内側から支えられることになる。【０００８】  特に、本発明の交換部品が装着されたリールシート本体はリール脚の後端部が挿入される固定フード部を有し、サポート壁部は、固定フード部の側方に位置すると共に、固定フード部の頂部よりも上方に突出していることが好ましく、フィット感がより一層向上する。【０００９】  更に、サポート壁部の最上部は、固定フード部の頂部よりも後側に位置していることが好ましく、フィット感がより一層向上する。【００１０】  また、サポート壁部の上面には、後側に向けて徐々に上昇するように傾斜した前側傾斜面と、該前側傾斜面の後側に延設され、後側に向けて徐々に下降するように傾斜した後側傾斜面とが設けられ、サポート壁部の前側傾斜面が両軸リールの左右両側壁部のうちハンドルとは反対側の側壁部の下面後部に対峙し、パーミング時にサポート壁部の後側傾斜面が手の平の母指球に当接することが好ましい。該構成では、サポート壁部が前側傾斜面を有していて、その前側傾斜面が両軸リールの左右両側壁部のうちハンドルとは反対側の側壁部の後面に対峙するので、両軸リールの左右両側壁部のうちハンドルとは反対側の側壁部の下面後部とサポート壁部との間に大きな空間が空きにくく、サポート壁部がより一層良好に手の平にフィットする。また、サポート壁部が後側傾斜面を有していて、パーミング時に後側傾斜面が手の平の母指球に当接するので、パーミング時のフィット感がより一層向上する。【００１１】  また、本発明の交換部品が装着されたリールシート本体の左右両側部のうち何れか一方のみに、側方へ膨出した側方膨出部が形成されており、該側方膨出部の後部にサポート壁部が上方に向けて突設されていることが好ましく、側方膨出部とサポート壁部とによってフィット感がより一層向上する。【００１２】  また、本発明の交換部品が装着されたリールシート本体は、竿本体に固定される部材であって、リール脚載置部を有する固定部材と、該固定部材が竿本体に取り付けられた��態において該固定部材に着脱自在な交換部材とを備えており、該交換部材にサポート壁部が形成されていることが好ましい。該構成では、釣竿にリールシートが取り付けられた状態で釣り人自らがリールシート本体の交換部材を固定部材から取り外すことができ、また、交換部材を固定部材に取り付けることができる。従って、他の仕様の交換部材を用意することで、製造元に釣竿の修理、分解を依頼しなくても、釣り人自身が他の仕様の交換部材に簡単に交換することができる。例えば、サポート壁部の高さやサイズ等が異なる交換部材に容易に交換できる。また、サポート壁部が左側に設けられている交換部材から、サポート壁部が右側に設けられている交換部材にも容易に交換でき、釣り人の好みや状況に応じて、また、使用する両軸リールのサイズやハンドルの左右に応じて、適宜交換部材を交換して釣りを楽しむことができる。【００１３】  また、本発明に係る釣竿は、本発明の交換部品が装着されたリールシートを備えたものである。
【発明の効果】
【００１４】  以上のように、左右両側部の一方のみにサポート壁部が設けられていてそのサポート壁部が両軸リールの一方の側壁部の直後に位置して手の平をサポートするので、パーミング時のフィット感が向上し、釣り人の手の負担が軽減される。そのため、長時間楽に釣りを行うことができる。
【図面の簡単な説明】
【００１５】
【図１】本発明の交換部品が装着されたリールシートの一実施形態におけるの正面図。
【図２】同リールシートの平面図。
【図３】同リールシートの背面図。
【図４】同リールシートを軸線方向に切断した縦断面図。
【図５】同リールシートの分解図。
【図６】同リールシートの本体部材を軸線方向に沿って切断した縦断面図。
【図７】同リールシートの筒状部材を軸線方向に沿って切断した縦断面図。
【図８】同リールシートの交換部材の背面図。
【図９】同交換部材の平面図。
【図１０】同交換部材を軸線方向の竿尻側から見た側面図。
【図１１】同リールシートを軸線方向に沿って切断した縦断面図であって、保持用ナットを取り外した状態を示す。
【図１２】同リールシートを軸線方向に沿って切断した縦断面図であって、保持用ナットと交換部材を取り外した状態を示す。
【図１３】同リールシートの本体部材と交換部材の関係を示す要部背面図であって、筒状部材と保持用ナットを取り外した状態を示す。
【図１４】同リールシートの交換部材と本体部材を軸線方向の竿尻側から見た側面図。
【図１５】図４の要部拡大図。
【図１６】同リールシートの使用状態を示す正面図。
【図１７】同リールシートの使用状態を示す正面図。
【図１８】同リールシートを備えた釣竿に両軸リールを取り付けた使用状態を示す正面図。
【図１９】同リールシートを備えた釣竿に両軸リールを取り付けた使用状態を示す背面図。
【図２０】同リールシートを備えた釣竿に両軸リールを取り付けた使用状態を示す平面図。
【図２１】本発明の他の実施形態におけるリールシートの交換部材を示す正面図。
【図２２】同交換部材の背面図。
【図２３】同交換部材の平面図。
【図２４】同交換部材を軸線方向の竿尻側から見た側面図。
【図２５】同リールシートの正面図。
【図２６】同リールシートの平面図。
【図２７】同リールシートの背面図。
【図２８】同リールシートを備えた釣竿に両軸リールを取り付けた使用状態を示す正面図。
【図２９】同リールシートを備えた釣竿に両軸リールを取り付けた使用状態を示す平面図。
【発明を実施するための形態】
【００１６】  以下、本発明の交換部品が装着されたリールシートの一実施形態について図１〜図２０を参酌しつつ説明する。本実施形態におけるリールシートは、両軸リール１００を釣竿に取り付けるためのものであって、一般的には、使用状態において両軸リール１００は上側を向く。両軸リール１００は種々の形状であってよいが、一例を図１８〜図２０に示している。両軸リール１００は、リール本体と、リール脚１０１とを備えている。リール本体は、左右一対の側壁部１０２，１０３と、該左右の側壁部１０２，１０３間に位置し、左右の側壁部１０２，１０３に回転可能に支持されるスプール１０４と、該スプール１０４を回転させるためのハンドル１０５と、スプール１０４の回転とハンドル１０５の回転とを連結、解除するためのクラッチ１０６とを備えている。左右一対の側壁部１０２，１０３は、互いに略同一形状であって、本実施形態では正面視の形状が円形であって、略円板状の形状となっているが、正面視の形状が前後方向に長い楕円形等であってもよい。左右一対の側壁部１０２，１０３は、平面視において左右平行に並んでいて、前後所定箇所において互いに連結されている。また、図２０のように平面視において、左右の側壁部１０２，１０３は、竿本体１を中心として左右均等に配置される。そして、平面視において、左側の側壁部１０３は、竿本体１よりも左側に突出、あるいは、はみ出すように位置し、右側の側壁部１０２は、竿本体１よりも右側に突出、あるいは、はみ出すように位置している。何れにしても、釣竿に両軸リール１００を取り付けた状態では、左右の側壁部１０２，１０３は、それぞれ竿本体１に対して側方に向けて左右均等にはみ出した状態となる。スプール１０４は、左右方向の軸線回りに回転して釣り糸を巻き取る。ハンドル１０５は、左右の側壁部１０２，１０３の何れかに回転可能に設けられ、本実施形態では右側の側壁部１０２に設けられていて、右ハンドル仕様となっているが、左側の側壁部１０３に設けられた左ハンドル仕様であってもよい。ハンドル１０５は、スプール１０４と同様に、左右方向の軸線回りに回転する。ハンドル１０５とスプール１０４は同軸上にあってもよく、即ち、ハンドル１０５の回転中心線とスプール１０４の回転中心線が一直線状に位置していてもよいが、ハンドル１０５の回転中心線とスプール１０４の回転中心線が同一線上にはなくて平行関係にあってもよい。リール脚１０１は、両軸リール１００をリールシートに取り付けるためのものである。リール脚１０１は、リール本体の下端部に設けられていて、前後方向に延びている。
【００１７】  リールシートは、竿本体１（ブランク）に外装着される筒状の構成であって、リールシート本体と、保持部材としての保持用ナット３と、図示しないフード用ナット及び可動フードとを備えている。リールシートの中心線は竿本体１の中心線と一致する。リールシートの軸線方向はリールシートの中心線の方向であり、竿本体１の軸線方向は竿本体１の中心線の方向である。リールシートの軸線方向と竿本体１の軸線方向は一致する。リールシートの軸線方向を前後方向と称する。前側は竿先側であり、後側は竿尻側である。図１に前側を矢印Ｘ１で示し、後側を矢印Ｘ２で示している。また、後述するリール脚載置部５を上側とし、それとは反対側を下側とする。図１に上側を矢印Ｙ１で示し、下側を矢印Ｙ２で示している。
【００１８】  リールシート本体は、全体として筒状であって、その内側を竿本体１が挿通する。従って、リールシート本体は、竿本体１が挿通する竿挿通孔４を有している。リールシート本体は、竿本体１の所定位置に取り付けられる。リールシート本体は竿本体１の外周面に直接接着固定されたり、竿本体１の外周面との間に筒状のスペーサ（図示省略）を介して接着固定されたりする。
【００１９】  リールシート本体は、リール脚載置部５と、固定フード部６と、フード用雄ネジ部７と、保持用雄ネジ部８と、側方膨出部６０と、サポート壁部６１と、パーミンググリップ部７０とを備えている。リール脚載置部５は、図１８〜図２０に示しているリール脚１０１を載置するための部分であって、リールシート本体の上面に形成されている。該リール脚載置部５の後側に固定フード部６が形成されている。固定フード部６は、リール脚１０１の後端部を保持するための部分であって、固定フード部６には、リール脚１０１の後端部が前側から挿入される。
【００２０】  一方、リールシート本体の前部外周面にフード用雄ネジ部７が形成されている。該フード用雄ネジ部７には、フード用ナットが螺合する。該フード用ナットの後側に可動フードが位置し、可動フードはリールシート本体に対して前後方向に移動可能であるが回転不能である。可動フードは筒状であって、その全周のうちの上部に部分的に径方向外側に膨出したフード部が形成されている。可動フードのフード部は、リール脚１０１の前端部を保持する部分であって、そのフード部にリール脚１０１の前端部が相対的に後側から挿入される。フード用ナットの後端部は可動フードの前端部に相対回転可能に係止されていて、フード用ナットが回転しながら前後に移動すると、それに合わせて可動フードは前後に移動するものの回転はしない。フード用ナットを後側に移動させることで可動フードを固定フード部６に接近させることができて可動フードと固定フード部６でリール脚１０１を前後に狭持して固定する。逆に、フード用ナットを前側に移動させると、可動フードは固定フード部６から前側に離れていき、両軸リール１００を釣竿から取り外すことができる。
【００２１】  リールシート本体の後部外周面には、保持用ナット３が螺合する保持用雄ネジ部８が形成されている。該保持用雄ネジ部８は固定フード部６よりも後側に位置している。尚、保持用雄ネジ部８の後側には、雄ネジ部が形成されていない平滑な外周面が後端まで存在しており、その平滑な外周面の長さは、保持用雄ネジ部８の長さと同等あるいはそれよりも長い。
【００２２】＜側方膨出部６０＞  リールシート本体は、左右非対称の形状となっている。リールシート本体は、左右両側面のうち何れか一方の側面のみに左右方向の外方に向けて膨出した側方膨出部６０を有している。本実施形態におけるリールシートは、右側にハンドル１０５を備えた両軸リール１００を取り付けるためのもの、即ち、右ハンドル仕様のものである。そのため、側方膨出部６０は、リールシート本体の左側の側面のみに形成されている。側方膨出部６０は、パーミング時に、手の平のうち人差し指から小指までの四本の指の付け根の関節部分（ＭＰ関節）、ないしは、触球部に当接してそれを支持する部分である。側方膨出部６０の前端部は、最も後側まで移動した状態の可動フードの後端部の近傍に位置する。側方膨出部６０の後端部は、後述する筒状のグリップ体１６の前端部の近傍あるいは前後方向中間部の近傍に位置する。
【００２３】  側方膨出部６０は、その下端から上端に向けて徐々に側方への膨出量が大きくなる形状となっている。側方膨出部６０の外面は、リールシート本体の下面から滑らかに連続しており、上方に向けて徐々に外方に傾斜しつつ延びている。従って、側方膨出部６０の外面は、下から上に向けて外方に向かう傾斜面となっている。側方膨出部６０の前部上面６０ａは、リール脚載置部５に対して若干下側に位置しているか、あるいは、リール脚載置部５と略同一の高さとなっている。何れにしても、側方膨出部６０の前部上面６０ａは、リール脚載置部５よりも上方には突出しない高さとなっている。尚、図２０のように両軸リール１００をリールシートに取り付けた状態では、平面視において、側方膨出部６０は、両軸リール１００の左側の側壁部１０３よりも外方（側方）には突出しない。従って、側方膨出部６０の上面の外縁（外面の上端）は、両軸リール１００の左側の側壁部１０３よりも内方に位置する。
【００２４】＜サポート壁部６１＞  一方、図１及び図３のように、側方膨出部６０の後部には、サポート壁部６１が上方に向けて突設されている。サポート壁部６１は、パーミング時に手の平に当接してその手の平を内側から支えるためのものである。図２、図３、図１４のように、サポート壁部６１は、固定フード部６の側方に位置する。サポート壁部６１は、左右方向の内側に内面を有し、左右方向の外側に外面を有する形状であって、その内面と外面との間の寸法を厚さとする板状である。即ち、サポート壁部６１の板厚方向は左右方向である。サポート壁部６１の内面は、リールシート本体の中心線に対して側方に離間した位置にあって、竿本体１の中心線と略平行であって且つ略垂直上方に起立している。サポート壁部６１の内面は、固定フード部６の上面と連続してその上面から上方に立ち上がるように延びていてもよいが、本実施形態では、固定フード部６の左側の側面の下端部から上方に向けて立ち上がるように延びている。従って、固定フード部６とサポート壁部６１との間には谷部ないし渓谷部が形成されている。サポート壁部６１の外面は、側方膨出部６０の外面と滑らかに連続している。上述のように側方膨出部６０の外面は上側ほど外側となるように傾斜しているが、サポート壁部６１の外面は、逆に上側ほど内側となるように傾斜している。側方膨出部６０の外面とサポート壁部６１の外面は、セットになって、外側に突出するように湾曲した一つの湾曲面を構成していることが好ましい。また、サポート壁部６１の肉厚は、上側に向けて徐々に薄くなっていることが好ましく、後側に向けて徐々に薄くなっていることが好ましい。
【００２５】  サポート壁部６１は、固定フード部６の頂部６ａよりも上方に突出しており、サポート壁部６１の最上部６４は、固定フード部６の頂部６ａよりも後側に位置している。サポート壁部６１の上面には、後側に向けて徐々に上昇するように傾斜した前側傾斜面６２と、該前側傾斜面６２の後側に延設され、後側に向けて徐々に下降するように傾斜した後側傾斜面６３とが設けられている。前側傾斜面６２は、側方膨出部６０の前部上面６０ａと連続しており、その前部上面６０ａから後側に向けて徐々に上昇している。尚、前側傾斜面６２の前端部６２ａは固定フード部６よりも前側に位置している。前側傾斜面６２は、サポート壁部６１の最上部６４まで上昇している。サポート壁部６１の最上部６４は、前側傾斜面６２と後側傾斜面６３との境界部であって、後側傾斜面６３は、サポート壁部６１の最上部６４から後側に向けて徐々に下降している。後側傾斜面６３は、固定フード部６の後端部よりも後側の位置まで延びていて、サポート壁部６１の後面６５と接続している。前側傾斜面６２及び後側傾斜面６３は、外側に向けて下降するように傾斜したテーパ面となっていることが好ましい。特に、前側傾斜面６２よりも後側傾斜面６３の方が、外側に向けて大きな角度で下降していることが好ましい。尚、前側傾斜面６２や後側傾斜面６３がサポート壁部６１の外面と滑らかに連続していてもよい。サポート壁部６１の後面６５は、外側ほど前側となるように傾斜したテーパ面となっていることが好ましい。
【００２６】＜パーミンググリップ部７０＞  リールシート本体の下部にパーミンググリップ部７０が形成されている。該パーミンググリップ部７０は、パーミング時に人差し指から小指の裏面（手の平側の面）に当接してそれを支持する。パーミンググリップ部７０は、リールシート本体の下面のうち、リール脚載置部５の下側に対応した部分及び固定フード部６の下側に対応した部分に形成されていると共に、固定フード部６の下側に対応した部分を後側に越えて、保持用雄ネジ部８の前後方向中央部近傍の下側位置まで延びている。パーミンググリップ部７０の下面には、後側に向けて徐々に下降していく下方傾斜面７１が形成されている。下方傾斜面７１は、パーミンググリップ部７０の下面のうち後端近傍部を除いた領域全体に形成されている。下方傾斜面７１は、後側に向けて直線的に下降する形状であってもよいが、本実施形態では、後側に向けて傾斜角度が徐々に大きくなるように上側に向けて湾曲した形状となっている。従って、下方傾斜面７１の後部においては、竿本体１の中心線から大きく下方に離れていく。下方傾斜面７１の前後方向中央部に対応したその上方の位置に、サポート壁部６１の最上部６４が位置している。
【００２７】  パーミンググリップ部７０は、その後部に下方に向けて突出した突起部７２を有している。突起部７２は、上下方向に対して後側に所定角度傾斜した方向に向けて突出している。また、突起部７２の前後方向の寸法は、突起部７２の下端部７２ａ（先端部）に向けて徐々に小さくなっている。そして、下方傾斜面７１は、突起部７２の下端部７２ａまで滑らかに連続して延びており、下方傾斜面７１の後端部は突起部７２の下端部７２ａとなっている。尚、図１４のように突起部７２の左右方向の幅は、下端部に向けて徐々に小さくなっている。突起部７２は、サポート壁部６１よりも後側に位置しており、特に、突起部７２の下端部７２ａの前後方向の位置は、サポート壁部６１の最上部６４の前後方向の位置よりも後側であり、サポート壁部６１の後面６５よりも後側である。パーミンググリップ部７０は、突起部７２の後側に、突起部７２の後面の上端部（基端部）から後側に向けて延びる後方延在部７３を備えている。該後方延在部７３は、グリップ体１６の径方向外側であって下側に位置している。
【００２８】＜両軸リール１００の取付状態＞  図１８〜図２０に、竿本体１に装着したリールシートに両軸リール１００を取り付けた状態を示している。両軸リール１００が釣竿の上側に位置する状態を通常の状態とする。両軸リール１００のハンドル１０５は右側に位置し、側方膨出部６０とサポート壁部６１はハンドル１０５とは反対側である左側に位置する。図２０のように、側方膨出部６０は、平面視において、両軸リール１００の左側の側壁部１０３よりも外方に突出せず、内側、即ち、竿本体１の中心線側に位置する。図１８のように、側方膨出部６０の前部上面６０ａは、両軸リール１００の左側の側壁部１０３の下面前部の下側に所定の隙間を空けつつ対峙するように位置する。側壁部１０３の下面前部とは、側壁部１０３の下面のうち最下部１０３ａよりも前側の部分である。
【００２９】  サポート壁部６１は、両軸リール１００の左側の側壁部１０３の直後に位置する。サポート壁部６１の前側傾斜面６２は、両軸リール１００の左側の側壁部１０３の下面後部１０３ｂの後側に所定の隙間を空けつつ対峙するように位置する。側壁部１０３の下面後部１０３ｂとは、側壁部１０３の下面のうち最下部１０３ａよりも後側の部分である。サポート壁部６１の前側傾斜面６２の前端部６２ａは、両軸リール１００の左側の側壁部１０３の最下部１０３ａの直下もしくはその近傍に位置する。両軸リール１００の左側の側壁部１０３の下面後部１０３ｂは、図１８のように、両軸リール１００の左側の側壁部１０３の最下部１０３ａから後側に向けて徐々に曲線を描きつつ立ち上がっていくが、その立ち上がり形状に対応するように、サポート壁部６１の前側傾斜面６２はその前端部６２ａから後側に向けて徐々に曲線を描きつつ立ち上がっていく。そして、サポート壁部６１の最上部６４は、両軸リール１００の左側の側壁部１０３の最後部１０３ｃの直後もしくはその近傍に位置し、サポート壁部６１の最上部６４の高さは、両軸リール１００の左側の側壁部１０３の最後部１０３ｃの高さと同程度あるいはそれよりも若干低い状態となる。
【００３０】  図２０のように、サポート壁部６１は、平面視において、両軸リール１００の左側の側壁部１０３よりも外方には突出せず、それよりも内側に位置する。一方、サポート壁部６１の内面は、竿本体１の中心線に対して外方に所定距離離間しており、サポート壁部６１はクラッチ１０６とは干渉せず、クラッチ１０６の後方は開放された状態にある。
【００３１】＜パーミング時＞  図１９及び図２０にパーミング時における左手を二点鎖線で示している。パーミング時には、左手で両軸リール１００とリールシートを包み込むようにして把持する。具体的には、左手の親指の腹の部分を両軸リール１００の左側の側壁部１０３の上面（特には上面の最上部）に当て、人差し指から小指までの四本の指でパーミンググリップ部７０を把持する。人差し指から小指までの四本の指を図１９のようにパーミンググリップ部７０の下方傾斜面７１に当てるようにして把持すると、四本の指による把持力はパーミンググリップ部７０の下方傾斜面７１に図１９に矢印Ｐで示しているように斜め上方且つ後方に向かって作用する。矢印Ｐの方向の延長線上にはサポート壁部６１が位置している。即ち、サポート壁部６１は、矢印Ｐの方向に沿って上方且つ後方に斜め方向に突出している。そして、パーミング時に、サポート壁部６１の後側傾斜面６３は、手の平の母指球に当接する。従って、手の平の母指球と人差し指から小指までの四本の指で、リールシートを斜め方向に把持することになる。また、側方膨出部６０の外面は人差し指から小指の付け根に位置する触球部に当接し、触球部と母指球との間の手の平の中央部にはサポート壁部６１の外面が当接する。
【００３２】  このようにリールシート本体の左側部にサポート壁部６１が形成されているので、パーミング時に左手の手の平にサポート壁部６１の外面が当接し、左手の手の平が両軸リール１００の左側の側壁部１０３の直後においてサポート壁部６１によって内側から支えられることになる。また、リールシート本体の左側部には側方膨出部６０が形成されているので、側方膨出部６０とサポート壁部６１とによって、パーミング時のフィット感が向上する。また、良好なフィット感が得られるので、釣り人の手の負担が軽減され、長時間楽に釣りを行うことができる。
【００３３】  特に、サポート壁部６１の前側傾斜面６２が両軸リール１００の左側の側壁部１０３の下面後部１０３ｂに対峙するので、サポート壁部６１の外面が自然な状態で手の平にフィットする。サポート壁部６１の前側傾斜面６２は、両軸リール１００の左側の側壁部１０３の下面後部１０３ｂの立ち上がり形状に沿って後側に向けて斜め上方に傾斜しているので、両軸リール１００の左側の側壁部１０３の下面後部１０３ｂとサポート壁部６１との間に大きな空間が空きにくく、パーミング時のホールド感、フィット感に優れる。また、サポート壁部６１の上面に後側傾斜面６３が設けられていて、その後側傾斜面６３が手の平の母指球に当接するので、パーミング時のフィット感がより一層向上する。
【００３４】  しかも、パーミンググリップ部７０に下方傾斜面７１が形成されているので、下方傾斜面７１を中指や薬指等の指で内側に押すことで、サポート壁部６１に手の平の母指球が自然と当接することになる。パーミンググリップ部７０の下方傾斜面７１とサポート壁部６１の後側傾斜面６３が同じ方向に傾斜しているので、リールシートを斜め方向にしっかりと把持することができる。そして、手の平の母指球にサポート壁部６１の下方傾斜面７１をしっかりと押し付けることができるので、両軸リール１００及びリールシートと手の平との密着性がより一層高まる。また、パーミンググリップ部７０の下方傾斜面７１の傾斜角度が後側に向けて徐々に大きくなっているので、小指までしっかりと把持することができ、手の負担が軽減される。
【００３５】＜リールシート本体の部材構成＞  次に、本実施形態におけるリールシート本体の部材構成について説明する。リールシート本体は、互いに分離可能な複数の部材から構成されている。リールシート本体は、固定部材と該固定部材とは別体に構成された交換部材１１とを備えている。固定部材は、竿本体１に接着固定される。固定部材は、リールシート本体の主要部を構成していて、リール脚載置部５と固定フード部６とフード用雄ネジ部７と保持用雄ネジ部８を有している。交換部材１１は、リールシート本体の下側部分を構成していて、固定部材に対して下方に分離可能であって、下方から着脱自在に取り付けられる。交換部材１１は、側方膨出部６０とサポート壁部６１とパーミンググリップ部７０を有している。
【００３６】＜固定部材＞  固定部材は、一つの部材から構成されていてもよいが、本実施形態では互いに別体にて構成された前後二つの部材から構成されている。即ち、固定部材の前側部分であって主要部である本体部材１２と、固定部材の後側部分を構成する筒状部材１３とから構成されている。本体部材１２と筒状部材１３は前後に接合されている。詳細には、本体部材１２の後端面１２ａと筒状部材１３の前端面１３ａとが前後方向に対峙するように面接触していて、本体部材１２と筒状部材１３はネジ１４により一体化されている。但し、本体部材１２と筒状部材１３の取り付け方法はネジ１４に限られず任意であって接着等であってもよい。
【００３７】＜本体部材１２＞  本体部材１２にリール脚載置部５と固定フード部６とフード用雄ネジ部７が形成されている。本体部材１２は全体としては筒状であるが、その前後方向の中途部は、全周のうち下側略半分の領域が切り欠かれていて上側の略半分の領域のみとされている。即ち、本体部材１２は、前側から順に、筒状の前筒部２０と、上側のみの上半割状とされた上半割状部２１と、筒状の後筒部２２に区分される。前筒部２０にはフード用雄ネジ部７が形成され、主として上半割状部２１の上面にリール脚載置部５が形成され、後筒部２２には固定フード部６が形成されている。このように上半割状部２１は上側領域のみの半割状とされていることから、竿挿通孔４は上半割状部２１において下方に開口している。また、上半割状部２１の前後には、二つの筒部である前筒部２０と後筒部２２が形成されていて、それらの前筒部２０と後筒部２２において竿本体１の外周面に全周に亘って直接あるいは間接的に固定されるので、上半割状部２１を有していても、竿本体１に本体部材１２を確実に固定できる。前筒部２０はその後端部を除いて交換部材１１には覆われずに外部に露出する一方、後筒部２２はその上側領域については交換部材１１によって覆われずに外部に露出するもののその下側領域については交換部材１１によって覆われるため外部には露出しない。
【００３８】  本体部材１２に下方から交換部材１１が取り付けられる。そのため、本体部材１２の下側部分の外面には、交換部材１１が径方向外側から重なり合う重ね合わせ面２３が形成されている。図５において重ね合わせ面２３の箇所には多数のドットを付して示している。重ね合わせ面２３においては本体部材１２と交換部材１１とが内外重なり合って二重の構成となる。具体的には、重ね合わせ面２３は、前筒部２０の後端部の下部から上半割状部２１、後筒部２２の下部にかけて形成されていて、交換部材１１が本体部材１２に取り付けられた状態では交換部材１１によって覆われて見えなくなる。
【００３９】  重ね合わせ面２３は、本体部材１２の外面に対して一段径方向内側に位置するようにして形成されている。即ち、重ね合わせ面２３と本体部材１２の外面との間の境界部には段差部が形成されている。段差部は、重ね合わせ面２３の前端部に位置する前段差部２４と、該前段差部２４の上端部から後方に延びていて本体部材１２の後端部まで達する上段差部２５とから構成されている。前段差部２４は、最下部から左右両側に向けて左右対称関係を有して上方に延びていて、前後方向に見たときには略Ｕ字状に形成されている。より詳細には、前段差部２４は、最下部から前側に傾斜しつつ上方に延びていて、従って、前段差部２４は前側ほど上側となる傾斜面を有しており、該傾斜面は左右それぞれ形成されている。本実施形態では、前段差部２３の全長に亘って傾斜面が形成されている。また、前段差部２４が、交換部材１１の前端部４０を受け止める受け部を構成していると共に、交換部材１１の前端部４０を下側から係止する係止部を構成している。
【００４０】  重ね合わせ面２３は、上半割状部２１においては前後方向に延びていて左右一対形成されている。かかる上半割状部２１における左右一対の重ね合わせ面２３には、それぞれ中間係止部として係止凸部２６が形成されている。左右の重ね合わせ面２３はそれぞれ左右外側を向いており、係止凸部２６は左右外側に向けて突設されている。係止凸部２６は上段差部２５から下方且つ後方に向けて延びていて、その下端部は重ね合わせ面２３の下端部よりも下方に突出している。尚、係止凸部２６の下端部は前後方向に円弧状に湾曲している。係止凸部２６は上半割状部２１の後部に位置していて、上段差部２５の中間部に位置しており、左右一対の係止凸部２６は互いに対向配置となっている。
【００４１】  図６のように、本体部材１２の後端面１２ａが筒状部材１３との接合面となっている。該接合面は前後方向に対して直交した面であって竿挿通孔４の後端開口部の全周に亘って形成されている。該接合面の上部には、後方に向けてカバー片部２７が庇状に突設されている。該カバー片部２７は、図１４に示しているように、後方から見て円弧状であって、その中心角は１８０度未満である。また、接合面の全周のうちの上部は局所的に径方向の寸法が大きくなっており、その左右方向の中央部には、筒状部材１３を本体部材１２にネジ止めするための下孔２８が形成されている。該下孔２８は、カバー片部２７の基端部の直ぐ下側に位置している。
【００４２】＜筒状部材１３＞  筒状部材１３の前端面１３ａが筒状部材１３の接合面となっている。該筒状部材１３の接合面も前後方向に対して直交する面となっており、本体部材１２の接合面に筒状部材１３の接合面が後側から当接して、本体部材１２と筒状部材１３は互いに同軸上に接合一体化される。筒状部材１３の前部の外周面には第一膨出部３１と第二膨出部３２が形成されている。第一膨出部３１は筒状部材１３の前端部に位置していて、第二膨出部３２は第一膨出部３１の後側に連設されている。第一膨出部３１は、上方に向けて鍔状に膨出していて、筒状部材１３が本体部材１２に取り付けられた状態において本体部材１２のカバー片部２７の径方向内側に入り込んだ状態となる。即ち、第一膨出部３１は、カバー片部２７によって径方向外側から覆われ、第一膨出部３１の後面はカバー片部２７の後端面と略面一となる。第一膨出部３１の上面は周方向に湾曲した周面（湾曲面）であって、カバー片部２７の内面と対峙する。第二膨出部３２は第一膨出部３１と同様に上方に向けて鍔状に膨出しているが、その高さは第一膨出部３１よりも低く、上方への膨出量は小さい。第二膨出部３２の上面も周方向に湾曲した周面であって、後述する交換部材１１の突片部４５の外周面と略同一半径で略同一円上に位置する。
【００４３】  図７のように、第一膨出部３１の上面の頂上部には、上方に開口したネジ１４用のザグリ凹部３３が形成されていると共にその前側にはネジ用貫通孔３４が形成されており、該ザグリ凹部３３からネジ用貫通孔３４を介してネジ１４が本体部材１２の下孔２８へとねじ込まれる。このように、筒状部材１３は第一膨出部３１の頂上部において一本のネジ１４により本体部材１２とネジ止めされる。ネジ１４は仮止めとして機能していると共に、本体部材１２と筒状部材１３の間の周方向の位置決めの役割も担っている。リールシート単体では一本のネジ１４で本体部材１２の上部に筒状部材１３がネジ止めされているが、竿本体１にリールシートが取り付けられた状態においては、本体部材１２と筒状部材１３は何れも竿本体１に接着される。尚、ネジ１４の頭部は、本体部材１２のカバー片部２７の内側に位置し、カバー片部２７の内側に隠れた状態となる。第二膨出部３２の上面の頂上部には第一膨出部３１のザグリ凹部３３と連続する凹溝３５が第二膨出部３２を前後方向に横断するようにして形成されている。本体部材１２に筒状部材１３を合体させる組み立て作業時に、例えばドライバで凹溝３５からネジ１４を締め込み操作できる。第二膨出部３２の後側に保持用雄ネジ部８が形成され、該保持用雄ネジ部８の後端部から筒状部材１３の後端部までの部分の外周面は凹凸のない平滑な外周面となっている。
【００４４】＜交換部材１１＞  交換部材１１は、本体部材１２の上半割状部２１の下側に開口している下方開口部を下方から覆う。交換部材１１は、その全長のうちの大部分を占める主要部が下半割状に形成されていて、横断面視においては略半円の円弧状あるいは略Ｕ字状に形成されている。交換部材１１の前端部４０は、本体部材１２の前段差部２４に対応した形状となっている。本体部材１２の前段差部２４が左右一対の傾斜面を有していることから、交換部材１１の前端部４０もそれに対応して最下部から前側且つ上方に向けて傾斜して延びる傾斜面を有している。この交換部材１１の前端部４０の傾斜面が、本体部材１２の係止部である傾斜面によって係止される。従って、交換部材１１の前端部４０の傾斜面が被係止部を構成している。
【００４５】  交換部材１１の内面には、本体部材１２の重ね合わせ面２３に対応して重ね合わせ面４１が形成されている。尚、図１２において交換部材１１の重ね合わせ面４１の箇所には多数のドットを付して示している。また、交換部材１１の内面の一部は竿挿通孔４の壁面４２を構成している。重ね合わせ面４１は竿挿通孔４の壁面４２よりも径方向の一段外側に形成されている。また、交換部材１１の前後方向の中途部の内面には、本体部材１２の係止凸部２６が係合する係止凹部４３が形成されている。係止凹部４３は、左右一対形成されており、本体部材１２の係止凸部２６に対応して、交換部材１１の上端部から斜め後方に向けて形成されている。尚、係止凹部４３は重ね合わせ面４１に形成されているが、その下端部は重ね合わせ面４１を下方に若干越えて竿挿通孔４の壁面４２まで達している。
【００４６】  交換部材１１の下半割状部の後端部には、前後方向に対して直交する面である被押圧部としての被押圧面４４と、該被押圧面４４の径方向内側の端部から後方に突出する突片部４５とが形成されている。被押圧面４４は、下半割状部の後端面であって、そこから更に後方に向けて突片部４５が突出している。交換部材１１は下側半分の下半割状部を備えているが、その下半割状部の後端部においては下側の半周分（１８０度分）を越えて上方に向けて所定長さ延びている。図１０のように交換部材１１の下半割状部の後端部を後方から見たとき、交換部材１１の下半割状部の後端部は上方に開口したＵ字状ないしＣ字状となっており、被押圧面４４も上方に開口したＵ字状ないしＣ字状となっている。そして、その被押圧面４４の周方向の全周のうち所定長さ領域に突片部４５が形成されている。該突片部４５は、後方から見たとき、被押圧面４４に対応してＵ字状ないしＣ字状であって、下側の半周分を越えて上方に所定長さ延びた形状となっている。但し、突片部４５は被押圧面４４の周方向の全長に亘って形成されてはおらず、被押圧面４４の周方向の両端部４４ａには形成されていない。従って、被押圧面４４の周方向の両端部４４ａは突片部４５の周方向の両端部４５ａよりも上側に延びている。突片部４５は薄肉に形成されているが、図１５のように、その先端部の外面には径方向外側に向けて係合突条４６が突設されている。該係合突条４６は突片部４５の周方向に沿って延びていて突片部４５の全長に亘って形成されている。このように突片部４５の先端部に係合突条４６が形成されていることにより、突片部４５の先端部は突片部４５の他の部分に比して局所的に厚肉となっている。
【００４７】  交換部材１１は固定部材に下側から嵌合し、その嵌合によって交換部材１１は保持用ナット３がなくても自然落下しない程度に固定部材に保持されることが好ましい。また、本体部材１２と筒状部材１３との接合部１５の全周のうち上部領域は、本体部材１２に筒状部材１３がネジ止めされることで、本体部材１２のカバー片部２７によって径方向外側から覆われているが、接合部１５の全周のうち、カバー片部２７によって覆われずに残った下部領域は、交換部材１１が固定部材に嵌合することによって、その交換部材１１により径方向外側から覆われる。従って、交換部材１１が固定部材に取り付けられると、本体部材１２と筒状部材１３の接合部１５は全周に亘って見えなくなる。
【００４８】  このように交換部材１１が固定部材に取り付けられた状態においては、本体部材１２のカバー片部２７の後端面２７ａの下側に交換部材１１の被押圧面４４が位置し、筒状部材１３の第二膨出部３２の下側に交換部材１１の突片部４５が位置する。そして、図１３のように、交換部材１１の被押圧面４４は、本体部材１２のカバー片部２７の後端面２７ａよりも後方に僅かに突出した状態となる。本体部材１２のカバー片部２７の後端面２７ａに対する交換部材１１の被押圧面４４の後方への突出量Ｄは僅かであって、１ｍｍ以下、好ましくは、０．１ｍｍ以上０．５ｍｍ以下である。このように交換部材１１の被押圧面４４が本体部材１２のカバー片部２７の後端面２７ａよりも後方に僅かに突出した状態となるので、主として交換部材１１の被押圧面４４が保持用ナット３によって前側に押圧されることになる。
【００４９】  側方膨出部６０は、交換部材１１の主として下半割状部に形成されている。側方膨出部６０は、下半割状部の全長に亘って形成されており、交換部材１１の前端部４０から少なくとも下半割状部の後端部即ち被押圧面４４の位置まで連続的に形成されている。側方膨出部６０は交換部材１１には形成されているものの固定部材には形成されていない。同様に、サポート壁部６１とパーミンググリップ部７０は交換部材１１には形成されているものの固定部材には形成されていない。従って、固定部材から交換部材１１を取り外すことにより、側方膨出部６０と、サポート壁部６１と、突起部７２を含めたパーミンググリップ部７０は、一括的に固定部材から外れることになる。上述のように、リールシート本体は左右非対称の形状となっているが、固定部材は左右対称形状である。従って、交換部材１１が左右非対称形状となっていることによってリールシート本体が左右非対称の形状となっている。
【００５０】＜保持用ナット３＞  保持用ナット３は筒状であって、径一定であってもよいが、本実施形態では、径が異なる複数の部分を有している。保持用ナット３の前端部には、他の部分よりも内径が大きい筒状のカバー部５０を有している。保持用ナット３は、その内周面に、保持用雄ネジ部８と螺合する雌ネジ部５１を有しているが、カバー部５０の内径は雌ネジ部５１よりも大きい。
【００５１】  カバー部５０は、交換部材１１の突片部４５と筒状部材１３の第二膨出部３２を径方向外側から覆う。カバー部５０の内周面には周方向に延びる係合溝５２が全周に亘って形成されている。即ち、係合溝５２は環状に形成されている。該保持用ナット３の係合溝５２に交換部材１１の係合突条４６が係合する。係合溝５２は、カバー部５０の内周面のうち先端部から所定長さ奥側の位置に形成されている。従って、保持用ナット３を締め付けていくと、保持用ナット３のカバー部５０の先端部内周面が交換部材１１の突片部４５の係合突条４６を乗り越えていって、その後、保持用ナット３のカバー部５０の係合溝５２に交換部材１１の突片部４５の係合突条４６が係合する。
【００５２】  保持用ナット３の前端面３ａが、交換部材１１の被押圧面４４を前側に押圧する押圧部を構成している。保持用ナット３のカバー部５０の外周面は、他の部分と同一径であってもよいが、本実施形態では他の部分よりも大径とされている。そのカバー部５０の外周面の前端部には、環状のフランジ部５３が径方向外側に向けて突設されている。このように保持用ナット３の前端部外周面に環状のフランジ部５３を設けることで保持用ナット３の前端面３ａの面積を拡大できる。
【００５３】  カバー部５０の後側に雌ネジ部５１が形成されており、該雌ネジ部５１の後端部から保持用ナット３の後端部までの間の内周面は平滑面となっている。尚、図１等に二点鎖線で示しているように、保持用ナット３の外側には筒状のグリップ体１６が装着される。該グリップ体１６は例えば発泡ＥＶＡやコルク等からなる。グリップ体の前部の径方向外側であって下側の位置には、交換部材１１のパーミンググリップ部７０の後部が位置する。具体的には、グリップ体１６の前部の径方向外側であって下側の位置には、パーミンググリップ部７０の後方延在部７３が位置する。パーミンググリップ部７０の後方延在部７３の内面は筒状部材１３の保持用雄ネジ部８から下側に離れて位置しており、後方延在部７３の内面と筒状部材１３の保持用雄ネジ部８との間には所定の空間が存在している。その空間にグリップ体１６が一体的に装着された保持用ナット３の前部が入り込むようになっている。
【００５４】＜材質＞  本体部材１２、筒状部材１３、交換部材１１及び保持用ナット３は、何れも射出成形により形成してよい。材質としては、種々の合成樹脂であってよく、同一の材質であってもよいが、異なる材質とすることが好ましい。特に、本体部材１２と交換部材１１は、筒状部材１３や保持用ナット３に比して相対的に強度の高い材質を使用することが好ましい。本体部材１２と交換部材１１の材質としては、繊維強化樹脂が好ましく、特に、長さが１ｍｍ以下の短繊維を強化繊維とした繊維強化樹脂が好ましい。また、その繊維としてはカーボン繊維が好ましい。一方、筒状部材１３と保持用ナット３の材質も種々の硬質の合成樹脂であってよく、繊維強化樹脂を使用することも好ましく、例えば、ガラス繊維強化ナイロン樹脂製とすることができる。
【００５５】＜リールシートの竿本体１への取り付け＞  リールシート本体が竿本体１に固定される。リールシート本体は竿本体１の外周面に直接接着固定されたり、竿本体１の外周面との間に筒状のスペーサ（図示省略）を介して接着固定されたりする。固定部材が竿本体１に固定され、交換部材１１は固定部材を介して竿本体１に着脱可能に取り付けられることになる。
【００５６】＜交換部材１１の取付、取り外し＞  図１６のように保持用ナット３を緩めた状態で交換部材１１を本体部材１２と筒状部材１３に下側から嵌合させる。尚、筒状部材１３は、予め本体部材１２にネジ１４により取り付けておく。交換部材１１を下側から固定部材に嵌合した状態で、保持用ナット３を回転させて前側に移動させていくと、やがて保持用ナット３のカバー部５０が交換部材１１の突片部４５に到達する。交換部材１１の突片部４５の外周面には係合突条４６が形成されているので、保持用ナット３のカバー部５０の内周面は交換部材１１の突片部４５の係合突条４６を乗り越えながら前側へ強制的に進んでいく。そして、保持用ナット３のカバー部５０の係合溝５２が交換部材１１の突片部４５の係合突条４６に係合すると、保持用ナット３の前端面３ａが交換部材１１の被押圧面４４に当接し、そこから更に保持用ナット３を強く締め込むことで保持用ナット３が交換部材１１を前側に押圧する。このように交換部材１１が取り付けられた状態においては、筒状部材１３は保持用ナット３によって覆われて見えなくなる。
【００５７】  交換部材１１の前端部４０は本体部材１２の係止部である傾斜面（前段差部２４）によって係止されているので、交換部材１１の前端部４０の下方への落下が防止される。一方、交換部材１１の後端部においては、突片部４５が保持用ナット３のカバー部５０によって径方向外側から覆われているので、交換部材１１の後端部の下方への落下も防止される。しかも、保持用ナット３が交換部材１１を前側に押圧しているので、交換部材１１は保持用ナット３と本体部材１２とによって前後に狭持される。従って、交換部材１１がぐらついたりすることなく強固な取付状態が得られる。また、保持用ナット３が交換部材１１を前側に押すと、本体部材１２の傾斜面である前段差部２４によって交換部材１１の前端部４０には上側への力が作用することになり、交換部材１１が自動的に本体部材１２側である上側へと移動して本体部材１２にしっかりと密着することになる。
【００５８】  交換部材１１は保持用ナット３によって押圧されるため、交換部材１１の前後方向の中途部が下方に撓む可能性があるが、本体部材１２に中間係止部としての係止凸部２６が形成されていて交換部材１１の係止凹部４３に係合しているので、交換部材１１の前後方向の中途部が下方に撓んだり移動したりしにくくなって、より一層しっかりと交換部材１１が固定される。特に、係止凸部２６や係止凹部４３が本体部材１２の傾斜面（前段差部２４）と同じ向きに傾斜しているので、保持用ナット３によって交換部材１１が前側に押されることで、交換部材１１の前端部４０のみならず中途部においても上側への力が作用することになり、交換部材１１を全長に亘ってしっかりと本体部材１２に押し付けて固定することができる。
【００５９】  また更に、交換部材１１の突片部４５の外周面に係合突条４６が形成されていて保持用ナット３の係合溝５２に係合するので、交換部材１１をより一層強固に固定でき、且つ、取り付け状態を維持することができる。特に、突片部４５が下側の半周分を越えて上側に延びていてその周方向の全長に亘って係合突条４６が形成されているので、係合溝５２と係合突条４６との係合状態がより一層確実なものとなり、交換部材１１の固定力を高めることができる。しかも、その突片部４５よりも更に上側まで被押圧面４４が延びているので、保持用ナット３による押圧力も確実に交換部材１１に作用させることができる。
【００６０】  一方、交換部材１１を固定部材から取り外す際には、図１に示すように交換部材１１が取り付けられた状態から、図１７のように保持用ナット３を反対側に回転させて後進させることで、図１６のように交換部材１１を固定部材から下方に向けて離反させることができる。このような交換部材１１の取付、取り外し作業は、リールシート単体の状態で行うことができる他、釣竿にリールシートが取り付けられた状態のままでも行うことができる。即ち、竿本体１に固定部材が取り付けられた状態で、交換部材１１を取り付けたり、取り外したりすることができる。
【００６１】  従って、他の種類の交換部材１１を準備しておけば、釣竿にリールシートが取り付けられている状態のまま交換部材１１のみを交換することができる。例えば、左側にサポート壁部６１が形成された交換部材１１から、右側にサポート壁部６１が形成された交換部材１１に交換することもできる。従って、交換部材１１のみを交換することで、左側にハンドル１０５を備えた両軸リール１００を釣竿に取り付けることができる。また、サポート壁部６１の形状や大きさ、側方膨出部６０の膨出量、パーミンググリップ部７０の下方傾斜面７１の傾斜角度、突起部７２の位置や大きさやその有無等、種々の仕様の交換部材１１に容易に取り替えて楽しむことができる。また、交換部材１１の材質や色、デザイン等が異なる他の交換部材１１に容易に交換することもできる。そのため、釣り人の好みやリールの種類、対象魚や状況等に応じて、釣り人が自由にリールシートをカスタマイズして楽しむことができる。
【００６２】  このような交換部材１１の交換は、釣竿にリールシートが取り付けられた状態のままで行うことができるため、釣り人自らが容易に交換することができる。例えば、釣りの現場においても交換部材１１を容易に交換でき、また、両軸リール１００を釣竿に取り付けた状態のままでも交換部材１１を交換することができる。特に、保持用ナット３の操作のみで交換することができるので、交換作業は極めて簡単であって素早く交換することができる。尚、交換部材１１を取り外しても、リールシートにはリール脚載置部５や固定フード部６、可動フード、フード用ナットがそのまま残っているため、交換部材１１を取り外したリールシートに両軸リール１００を装着して釣りを行うことも可能である。
【００６３】  サポート壁部６１やパーミンググリップ部７０の仕様が異なる交換部材１１の一例を図２１〜図２４に示している。また、その交換部材１１を取り付けたリールシートを図２５〜図２９に示している。この交換部材１１は、上述した交換部材１１に対して主としてサポート壁部６１とパーミンググリップ部７０の形状が異なっている。この交換部材１１は、上述した交換部材１１に対して、サポート壁部６１の前側傾斜面６２の上方への傾斜角度が小さく、最上部６４の高さも若干低い。サポート壁部６１の後側傾斜面６３の下方への傾斜角度は逆に大きくなっている。また、パーミンググリップ部７０の下方傾斜面７１の傾斜角度は、特に後部において大きくなっていて、突起部７２も下方に大きく突出している。このようにサポート壁部６１やパーミンググリップ部７０の形状も種々変更可能であって、種々の形状の交換部材１１に任意に交換できる。
【００６４】  尚、上記実施形態では、交換部材１１のパーミンググリップ部７０が突起部７２を備えた構成であったが、突起部７２を備えない構成であってもよい。
【００６５】  また、上記実施形態では、保持部材としての保持用ナット３が交換部材１１を直接押圧する構成としていたが、保持用ナット３が他の部材を介して交換部材１１を間接的に押圧する構成であってもよい。
【００６６】  また更に、固定部材に対して交換部材１１が取り付け、取り外し可能な構成であったが、固定部材と交換部材１１とが一体的に形成されて一つの部材として構成されていてもよい。即ち、側方膨出部６０やサポート壁部６１、パーミンググリップ部７０がリール脚載置部５や固定フード部６等と同様にリールシート本体に一体的に形成された構成であってもよい。従って、固定フード部６からサポート壁部６１が連続して突設されていてもよい。保持用ナット３と保持用雄ネジ部８を備えていない構成であってもよい。
【符号の説明】
【００６７】  １    竿本体  ３    保持用ナット  ３ａ  前端面  ４    竿挿通孔  ５    リール脚載置部  ６    固定フード部  ６ａ  頂部  ７    フード用雄ネジ部  ８    保持用雄ネジ部１１    交換部材１２    本体部材１２ａ  後端面１３    筒状部材１３ａ  前端面１４    ネジ１５    接合部１６    グリップ体２０    前筒部２１    上半割状部２２    後筒部２３    重ね合わせ面２４    前段差部２５    上段差部２６    係止凸部２７    カバー片部２７ａ  後端面２８    下孔３１    第一膨出部３２    第二膨出部３３    ザグリ凹部３４    ネジ用貫通孔３５    凹溝４０    前端部４１    重ね合わせ面４２    竿挿通孔の壁面４３    係止凹部４４    被押圧面４４ａ  周方向の端部４５    突片部４５ａ  周方向の端部４６    係合突条５０    カバー部５１    雌ネジ部５２    係合溝５３    フランジ部６０    側方膨出部６０ａ  前部上面６１    サポート壁部６２    前側傾斜面６２ａ  前端部６３    後側傾斜面６４    最上部６５    後面７０    パーミンググリップ部７１    下方傾斜面７２    突起部７２ａ  下端部７３    後方延在部１００  両軸リール１０１  リール脚１０２  右側の側壁部１０３  左側の側壁部１０３ａ  最下部１０３ｂ  下面後部１０３ｃ  最後部１０４  スプール１０５  ハンドル１０６  クラッチ